(57)【要約】  本開示の実施形態は、管の妨害、特に血管の狭窄の重大性の評価のために構成される。幾つかの特定の実施形態においては、本開示の装置、システム、及び方法が、充血剤の投与無しで冠状動脈内の狭窄の重大性を評価するように構成される。
2014529442.tif 000002
【特許請求の範囲】
【請求項１】
患者の管内に少なくとも一つの機器を導入する；
少なくとも一つの患者の心周期について前記管の狭窄の近位の位置で管内の近位圧力測定値を前記少なくとも一つの機器から取得する；
前記少なくとも一つの患者の心周期について前記管の前記狭窄の遠位の位置で管内の遠位圧力測定値を前記少なくとも一つの機器から取得する；
患者の心周期内で前記患者の心周期の一部のみを包囲する診断窓を選択する；
前記診断窓内で取得された前記遠位圧力測定値と前記診断窓内で取得された近位圧力測定値の間の圧力差を計算するステップを含む、患者の管の評価方法。
【請求項２】
前記診断窓が、前記近位圧力測定値の１以上の特徴に基づいて少なくとも部分的に選択される、請求項１に記載の方法。
【請求項３】
前記診断窓の始点が、前記近位圧力測定値に基づいて選択される、請求項２に記載の方法。
【請求項４】
前記始点が、前記近位圧力測定値の重拍ノッチの識別に基づいて選択される、請求項３に記載の方法。
【請求項５】
前記始点が、前記重拍ノッチに対して固定量の時間だけずらすことにより選択される、請求項４に記載の方法。
【請求項６】
前記固定量の時間が、約１ｍｓと約５００ｍｓの間である、請求項５に記載の方法。
【請求項７】
前記固定量の時間が、心周期のパーセントである、請求項５に記載の方法。
【請求項８】
前記始点が、前記近位圧力測定値のピーク圧力の識別に基づいて選択される、請求項３に記載の方法。
【請求項９】
前記始点が、前記ピーク圧力に対して固定量の時間だけずらすことにより選択される、請求項８に記載の方法。
【請求項１０】
前記固定量の時間が、約１ｍｓと約５５０ｍｓの間である、請求項９に記載の方法。
【請求項１１】
前記固定量の時間が、心周期のパーセントである、請求項９に記載の方法。
【請求項１２】
前記始点が、前記近位圧力測定値の圧力の最大変化の識別に基づいて選択される、請求項３に記載の方法。
【請求項１３】
前記始点が、前記圧力の最大変化に対して固定量の時間だけずらすことにより選択される、請求項１２に記載の方法。
【請求項１４】
前記固定量の時間が、約１ｍｓと約５００ｍｓの間である、請求項１３に記載の方法。
【請求項１５】
前記固定量の時間が、心周期のパーセントである、請求項１３に記載の方法。
【請求項１６】
前記近位圧力測定値の前記圧力の最大変化が、前記近位圧力測定値のピーク圧力の後に生じる最大変化である、請求項１３に記載の方法。
【請求項１７】
前記始点が、前記近位圧力測定値の心周期の開始の識別に基づいて選択される、請求項３に記載の方法。
【請求項１８】
前記始点が、前記心周期の開始に対して固定量の時間だけずらすことにより選択される、請求項１７に記載の方法。
【請求項１９】
前記固定量の時間が、約１５０ｍｓと約９００ｍｓの間である、請求項１８に記載の方法。
【請求項２０】
前記固定量の時間が、心周期のパーセントである、請求項１８に記載の方法。
【請求項２１】
前記パーセントが、約２５％と約９５％の間である、請求項２０に記載の方法。
【請求項２２】
前記始点が、前記近位圧力測定値の心拡張の開始の識別に基づいて選択される、請求項３に記載の方法。
【請求項２３】
前記始点が、前記心拡張の開始に対して固定量の時間だけずらすことにより選択される、請求項２２に記載の方法。
【請求項２４】
前記固定量の時間が、約１ｍｓと約５００ｍｓの間である、請求項２３に記載の方法。
【請求項２５】
前記固定量の時間が、前記心周期の前記心拡張のパーセントである、請求項２３に記載の方法。
【請求項２６】
前記パーセントが、約２％と約７５％の間である、請求項２５に記載の方法。
【請求項２７】
前記診断窓の終点が、前記始点からの固定量の時間になるように選択される、請求項３に記載の方法。
【請求項２８】
前記固定量の時間が、心周期のパーセントである、請求項２７に記載の方法。
【請求項２９】
前記診断窓の終点が、前記近位圧力測定値に基づいて選択される、請求項３に記載の方法。
【請求項３０】
前記診断窓の終点が、前記近位圧力測定値に基づいて選択される、請求項２に記載の方法。
【請求項３１】
前記終点が、前記近位圧力測定値の心周期の終わりの識別に基づく、請求項３０に記載の方法。
【請求項３２】
前記終点が、前記心周期の前記終わりに対して固定量の時間だけずらすことにより選択される、請求項３１に記載の方法。
【請求項３３】
前記固定量の時間が、約１ｍｓと約６００ｍｓの間である、請求項３２に記載の方法。
【請求項３４】
前記固定量の時間が、約１ｍｓと約２５ｍｓの間である、請求項３３に記載の方法。
【請求項３５】
前記固定量の時間が、心周期のパーセントである、請求項３２に記載の方法。
【請求項３６】
前記パーセントが、約１％と約７０％の間である、請求項３５に記載の方法。
【請求項３７】
前記パーセントが、約１％と約２５％の間である、請求項３６に記載の方法。
【請求項３８】
前記診断窓が、前記遠位圧力測定値の１以上の特徴に基づいて少なくとも部分的に選択される、請求項２に記載の方法。
【請求項３９】
前記診断窓の始点が、前記近位圧力測定値に基づいて選択され、また前記診断窓の終点が前記遠位圧力測定値に基づいて選択される、請求項３８に記載の方法。
【請求項４０】
前記診断窓の始点が、前記遠位圧力測定値に基づいて選択され、前記診断窓の終点が前記近位圧力測定値に基づいて選択される、請求項３８に記載の方法。
【請求項４１】
前記診断窓が、前記遠位圧力測定値の１以上の特徴に基づいて少なくとも部分的に選択される、請求項１に記載の方法。
【請求項４２】
前記診断窓の始点が、前記遠位圧力測定値に基づいて選択される、請求項４１に記載の方法。
【請求項４３】
前記始点が、前記遠位圧力測定値の重拍ノッチの識別に基づいて選択される、請求項４２に記載の方法。
【請求項４４】
前記始点が、前記重拍ノッチに対して固定量の時間だけずらすことにより選択される、請求項４３に記載の方法。
【請求項４５】
前記固定量の時間が、約１ｍｓと約５００ｍｓの間である、請求項４４に記載の方法。
【請求項４６】
前記固定量の時間が、心周期のパーセントである、請求項４４に記載の方法。
【請求項４７】
前記始点が、前記遠位圧力測定値のピーク圧力の識別に基づいて選択される、請求項４２に記載の方法。
【請求項４８】
前記始点が、前記ピーク圧力に対して固定量の時間だけずらすことにより選択される、請求項４７に記載の方法。
【請求項４９】
前記固定量の時間が、約１ｍｓと約５５０ｍｓの間である、請求項４８に記載の方法。
【請求項５０】
前記固定量の時間が、心周期のパーセントである、請求項４８に記載の方法。
【請求項５１】
前記始点が、前記遠位圧力測定値の圧力の最大変化の識別に基づいて選択される、請求項４２に記載の方法。
【請求項５２】
前記始点が、前記最大圧力変化に対して固定量の時間だけずらすことにより選択される、請求項５１に記載の方法。
【請求項５３】
前記固定量の時間が、約１ｍｓと約５００ｍｓの間である、請求項５２に記載の方法。
【請求項５４】
前記固定量の時間が、心周期のパーセントである、請求項５２に記載の方法。
【請求項５５】
前記遠位圧力測定値の前記圧力の最大変化が、前記遠位圧力測定値のピーク圧力の後に生じる最大変化である、請求項５１に記載の方法。
【請求項５６】
前記始点が、前記遠位圧力測定値の心周期の開始の識別に基づいて選択される、請求項４２に記載の方法。
【請求項５７】
前記始点が、前記心周期の前記開始に対して固定量の時間だけずらすことにより選択される、請求項５６に記載の方法。
【請求項５８】
前記固定量の時間が、約１５０ｍｓと約９００ｍｓの間である、請求項５７に記載の方法。
【請求項５９】
前記固定量の時間が、心周期のパーセントである、請求項５７に記載の方法。
【請求項６０】
前記パーセントが、約２５％と約９５％の間である、請求項５９に記載の方法。
【請求項６１】
前記始点が、前記遠位圧力測定値の心室化点の識別に基づいて選択される、請求項４２に記載の方法。
【請求項６２】
前記始点が、前記心室化点に対して固定量の時間だけずらすことにより選択される、請求項６１に記載の方法。
【請求項６３】
前記固定量の時間が、約−２５０ｍｓと約４００ｍｓの間である、請求項６２に記載の方法。
【請求項６４】
前記診断窓が、前記心室化点を含む、請求項６１に記載の方法。
【請求項６５】
前記診断窓が、前記心室化点を含まない、請求項６１に記載の方法。
【請求項６６】
前記始点が、前記遠位圧力測定値の心拡張の開始の識別に基づいて選択される、請求項４２に記載の方法。
【請求項６７】
前記始点が、前記心拡張の開始に対して固定量の時間だけずらすことにより選択される、請求項６６に記載の方法。
【請求項６８】
前記固定量の時間は、約２５ｍｓと約２００ｍｓの間である、請求項６７に記載の方法。
【請求項６９】
前記固定量の時間が、前記心周期の前記心拡張のパーセントである、請求項６７に記載の方法。
【請求項７０】
前記パーセントは、約２％と約７５％の間である、請求項６９に記載の方法。
【請求項７１】
前記固定量の時間が、心周期のパーセントである、請求項６７に記載の方法。
【請求項７２】
前記診断窓の終点が、前記始点からの固定量の時間になるように選択される、請求項４２に記載の方法。
【請求項７３】
前記診断窓の終点が、前記遠位圧力測定値に基づいて選択される、請求項４１に記載の方法。
【請求項７４】
前記終点が、前記遠位圧力測定値の心周期の終わりの識別に基づく、請求項７３に記載の方法。
【請求項７５】
前記終点が、前記心周期の前記終わりに対して固定量の時間だけずらすことにより選択される、請求項７４に記載の方法。
【請求項７６】
前記固定量の時間が、約１ｍｓと約６００ｍｓの間である、請求項７５に記載の方法。
【請求項７７】
前記固定量の時間が、心周期のパーセントである、請求項７５に記載の方法。
【請求項７８】
前記パーセントが、約１％と約７０％の間である、請求項７７に記載の方法。
【請求項７９】
前記終点が、前記遠位圧力測定値の心室化点の識別に基づいて選択される、請求項７３に記載の方法。
【請求項８０】
前記終点が、前記心室化点に対して固定量の時間だけずらすことにより選択される、請求項７９に記載の方法。
【請求項８１】
前記固定量の時間が、約−２００ｍｓと約４５０ｍｓの間である、請求項８０に記載の方法。
【請求項８２】
前記固定量の時間が、心周期のパーセントである、請求項８０に記載の方法。
【請求項８３】
前記診断窓の選択が、前記近位及び遠位圧力測定値の少なくとも一つの目標の識別を含む、請求項１に記載の方法。
【請求項８４】
前記診断窓の選択が、前記目標の位置に対して前記診断窓の始点を選択することを更に含む、請求項８３に記載の方法。
【請求項８５】
前記診断窓の選択は、前記目標の位置に対して前記診断窓の終点を選択することを更に含む、請求項８４に記載の方法。
【請求項８６】
前記診断窓の選択は、前記始点から固定量の時間だけ離れた前記診断窓の終点の選択を更に含む、請求項８４に記載の方法。
【請求項８７】
前記固定量の時間が、心周期のパーセントである、請求項８６に記載の方法。
【請求項８８】
前記診断窓が、最大診断窓を識別し、また前記診断窓として前記最大診断窓の一部を選択することにより選択される、請求項１に記載の方法。
【請求項８９】
前記一部が、前記最大診断窓の中央に位置づけられる、請求項８８に記載の方法。
【請求項９０】
前記一部が、前記最大診断窓に対して中央からずれて位置づけられる、請求項８８に記載の方法。
【請求項９１】
前記一部が、前記最大診断窓の約５％と約９９％の間である、請求項８８に記載の方法。
【請求項９２】
前記一部が、前記最大診断窓内の単一ポイントである、請求項８８に記載の方法。
【請求項９３】
前記一部が、前記最大診断窓内の複数の固有ポイントである、請求項８８に記載の方法。
【請求項９４】
前記管を通じて流れる流体の流速値を前記少なくとも一つの機器から取得するステップを更に含む、請求項１に記載の方法。
【請求項９５】
前記診断窓が、前記流速値の1以上の特徴に少なくとも部分的に基づいて選択される、請求項９４に記載の方法。
【請求項９６】
前記診断窓が、前記流速値の差分が相対的に一定値の約ゼロを持つ前記心周期の一部に対応する、請求項９５に記載の方法。
【請求項９７】
前記診断窓が、前記流速値の第１微分係数が相対的に一定値の約ゼロを持つ前記心周期の一部に対応する、請求項９５に記載の方法。
【請求項９８】
前記診断窓が、前記流速値の第２微分係数が相対的に一定値の約ゼロを持つ前記心周期の一部に対応する、請求項９５に記載の方法。
【請求項９９】
前記診断窓が、前記流速値の変化が前記心周期における流速の最大変化の２５％未満である前記心周期の一部に対応する、請求項９５に記載の方法。
【請求項１００】
前記診断窓が、前記近位圧力測定値及び前記遠位圧力測定値の少なくとも一つの１以上の特徴に少なくとも部分的に基づいて選択される、請求項９５に記載の方法。
【請求項１０１】
圧力及び流速値の組み合わせが抵抗値の計算に用いられる、請求項１００に記載の方法。
【請求項１０２】
前記診断窓が、抵抗が、前記心周期の非充血部分の平均抵抗以下である前記心周期の一部に対応する、請求項１０１に記載の方法。
【請求項１０３】
前記診断窓は、抵抗が充血剤の投与により到達できる推定された平均抵抗以下である前記心周期の一部に対応する、請求項１０２に記載の方法。
【請求項１０４】
前記診断窓は、抵抗が前記心周期における最大抵抗の２５％未満である前記心周期の一部に対応する、請求項１０１に記載の方法。
【請求項１０５】
前記診断窓は、抵抗が前記心周期における平均抵抗の５０％未満である前記心周期の一部に対応する、請求項１０１に記載の方法。
【請求項１０６】
前記患者の管内に少なくとも一つの機器を導入することが、前記管内に少なくとも二つの機器を導入することを含む、請求項１に記載の方法。
【請求項１０７】
前記少なくとも二つの機器の一方がガイドワイヤーであり、前記少なくとも二つの機器の他方がカテーテルである、請求項１０６に記載の方法。
【請求項１０８】
前記ガイドワイヤーが、前記遠位圧力測定値を取得するように構成される、請求項１０７に記載の方法。
【請求項１０９】
前記カテーテルが、前記近位圧力測定値を取得するように構成される、請求項１０７に記載の方法。
【請求項１１０】
前記少なくとも二つの機器が、計算装置に通信接続される、請求項１０６に記載の方法。
【請求項１１１】
前記少なくとも二つの機器の少なくとも一つが、前記計算装置にワイヤレスで通信接続される、請求項１１０に記載の方法。
【請求項１１２】
前記少なくとも二つの機器の少なくとも一つが、前記計算装置に配線で通信接続される、請求項１１０に記載の方法。
【請求項１１３】
計算装置が、前記近位及び遠位圧力測定値を取得するステップを実行する、請求項１に記載の方法。
【請求項１１４】
前記計算装置が、患者の心周期内において診断窓を選択するステップを実行し、
前記診断窓が前記患者の心周期の一部のみを包囲する、請求項１１３に記載の方法。
【請求項１１５】
前記計算装置が、前記診断窓において取得した前記遠位及び近位圧力測定値の間の前記圧力差を計算する前記ステップを実行する、請求項１１３に記載の方法。
【請求項１１６】
少なくとも一つの前記機器が、インプラント可能な装置である、請求項１に記載の方法。
【請求項１１７】
前記管に対して固定位置において前記インプラント可能な装置をインプラントするステップを更に含む、請求項１１６に記載の方法。
【請求項１１８】
前記インプラント可能な装置が、前記狭窄の近位にインプラントされる、請求項１１７に記載の方法。
【請求項１１９】
前記管が冠状動脈である、請求項１に記載の方法。
【請求項１２０】
前記患者の心臓が、前記近位及び遠位圧力測定値が取られる前記少なくとも一つの心周期にストレスを受けない、請求項１１９に記載の方法。
【請求項１２１】
患者には充血剤が投与されない、請求項１２０に記載の方法。
【請求項１２２】
前記少なくとも一つの機器の一部が、前記近位圧力測定値の決定のために、大動脈及び前記狭窄の間に配置される、請求項１１９に記載の方法。
【請求項１２３】
前記近位圧力測定値の少なくとも一部を前記遠位圧力測定値の少なくとも一部に時間的に整列させるステップを更に含む、請求項１に記載の方法。
【請求項１２４】
前記時間的に整列させるステップが、前記近位圧力測定値を取得し、かつ前記遠位圧力測定値を取得する前記ステップの少なくとも一つにハードウェア遅延を導入することを含む、請求項１２３に記載の方法。
【請求項１２５】
前記時間的に整列させるステップが、前記近位圧力測定値を取得し、かつ前記遠位圧力測定値を取得する前記ステップの少なくとも一つにソフトウェア遅延を導入することを含む、請求項１２３に記載の方法。
【請求項１２６】
前記ソフトウェア遅延が、前記近位及び遠位圧力測定値のマッチング特徴に基づいて決定される、請求項１２５に記載の方法。
【請求項１２７】
前記時間的に整列させるステップが、前記近位及び遠位圧力測定値の各々に付与される同期時間スタンプに基づいて前記近位及び遠位圧力測定値を整合することを含む、請求項１２３に記載の方法。
【請求項１２８】
前記時間的に整列させるステップが、前記診断窓の選択の前に実行される、請求項１２３に記載の方法。
【請求項１２９】
前記時間的に整列させるステップが、前記診断窓の選択の後に実行される、請求項１２３に記載の方法。
【請求項１３０】
前記遠位及び近位圧力測定値の間の前記圧力差の計算が、複数の心周期の前記診断窓における平均圧力差の計算を含む、請求項１に記載の方法。
【請求項１３１】
心周期(N)及び心周期(N+1)の間の前記計算された平均における変化が閾値未満に低下するまで追加心周期が前記平均圧力差の前記計算に含まれる、請求項１３０に記載の方法。
【請求項１３２】
前記閾値が事前設定される、請求項１３１に記載の方法。
【請求項１３３】
前記閾値が、前記遠位及び近位圧力測定値の間の初期圧力差に基づいて決定される、請求項１３１に記載の方法。
【請求項１３４】
前記閾値が、治療遮断値に対する前記初期圧力差の近接に基づいて決定される、請求項１３３に記載の方法。
【請求項１３５】
前記診断窓が、患者のECG信号に少なくとも部分的に基づいて選択される、請求項１に記載の方法。
【請求項１３６】
前記診断窓の始点が、前記患者のECG信号に基づいて選択される、請求項１３５に記載の方法。
【請求項１３７】
前記始点が、Ｐ波の開始、Ｐ波のピーク、Ｐ波の終わり、ＰＲインターバル、ＰＲセグメント、ＱＲＳコンプレックスの開始、Ｒ波の開始、Ｒ波のピーク、Ｒ波の終わり、ＱＲＳコンプレックスの終わり（J−ポイント）、ＳＴセグメント、Ｔ波の開始、Ｔ波のピーク、及びＴ波の終わりから成る一群の特徴から選択される前記ECG信号の少なくとも一つの識別可能な特徴に基づいて選択される、請求項１３６に記載の方法。
【請求項１３８】
前記診断窓の終点が、前記患者のＥＣＧ信号に基づいて選択される、請求項１３５に記載の方法。
【請求項１３９】
前記終点が、Ｐ波の開始、Ｐ波のピーク、Ｐ波の終わり、ＰＲインターバル、ＰＲセグメント、ＱＲＳコンプレックスの開始、Ｒ波の開始、Ｒ波のピーク、Ｒ波の終わり、ＱＲＳコンプレックスの終わり（J−ポイント）、ＳＴセグメント、Ｔ波の開始、Ｔ波のピーク、及びＴ波の終わりから成る一群の特徴から選択される前記ECG信号の少なくとも一つの識別可能な特徴に基づいて選択される、請求項１３８に記載の方法。
【請求項１４０】
患者の管内への導入のための大きさと形状を持つ少なくとも一つの機器；
前記少なくとも一つの機器と通信接続される処理ユニットであって、
前記管の狭窄の近位の位置で前記少なくとも一つの機器が前記管内に配置される時に前記少なくとも一つの機器から少なくとも一つの患者の心周期の近位圧力測定値を取得し；
前記管の前記狭窄の遠位の位置で前記少なくとも一つの機器が前記管内に配置される時に前記少なくとも一つの機器から前記少なくとも一つの患者の心周期の遠位圧力測定値を取得し；
患者の心周期内において前記患者の心周期の一部のみを包囲する診断窓を選択し；及び
前記診断窓の過程で得られた前記遠位圧力測定値と前記診断窓内で得られた前記近位圧力測定値の間の圧力差を計算するように構成された処理ユニットを備えるシステム。
【請求項１４１】
前記処理ユニットが、前記近位圧力測定値の１以上の特徴に少なくとも部分的に基づいて前記診断窓を選択するように構成される、請求項１４０に記載のシステム。
【請求項１４２】
前記処理ユニットが、前記近位圧力測定値に基づいて前記診断窓の始点を選択するように構成される、請求項１４１に記載のシステム。
【請求項１４３】
前記処理ユニットが、前記近位圧力測定値に基づいて前記診断窓の終点を選択するように構成される、請求項１４２に記載のシステム。
【請求項１４４】
前記処理ユニットが、前記遠位圧力測定値の１以上の特徴に少なくとも部分的に基づいて前記診断窓を選択するように構成される、請求項１４１に記載のシステム。
【請求項１４５】
前記処理ユニットが、前記近位圧力測定値に基づいて診断窓の始点を選択し、前記遠位圧力測定値に基づいて前記診断窓の終点を選択するように構成される、請求項１４４に記載のシステム。
【請求項１４６】
前記処理ユニットが、前記遠位圧力測定値に基づいて診断窓の始点を選択し、前記近位圧力測定値に基づいて前記診断窓の終点を選択するように構成される、請求項１４４に記載のシステム。
【請求項１４７】
前記処理ユニットが、最大診断窓を識別し、また前記診断窓として前記最大診断窓の一部を選択することにより前記診断窓を選択するように構成される、請求項１４０に記載のシステム。
【請求項１４８】
前記処理ユニットが、前記少なくとも一つの機器から、前記管に流れる流体の流速値を得るように更に構成される、請求項１４０に記載のシステム。
【請求項１４９】
前記処理ユニットが、前記流速値の１以上の特徴に少なくとも部分的に基づいて前記診断窓を選択するように構成される、請求項１４０に記載のシステム。
【請求項１５０】
前記処理ユニットが、圧力及び流速値の組み合わせを用いて抵抗値を計算するように更に構成される、請求項１４０に記載のシステム。
【請求項１５１】
前記処理ユニットが、抵抗が前記心周期の非充血部分の平均抵抗以下である前記心周期の一部に対応するべく前記診断窓を選択するように構成される、請求項１５０に記載のシステム。
【請求項１５２】
前記少なくとも一つの機器が、少なくとも二つの機器を備える、請求項１４０に記載のシステム。
【請求項１５３】
前記少なくとも二つの機器の一方がガイドワイヤーであり、前記少なくとも二つの機器の他方がカテーテルである、請求項１５２に記載のシステム。
【請求項１５４】
前記ガイドワイヤーが、前記遠位圧力測定値を取得するべく構成される、請求項１５３に記載のシステム。
【請求項１５５】
前記カテーテルが、前記近位圧力測定値を取得するべく構成される、請求項１５３に記載のシステム。
【請求項１５６】
前記少なくとも二つの機器の少なくとも一つが前記処理ユニットにワイヤレス通信で接続される、請求項１５２に記載のシステム。
【請求項１５７】
前記少なくとも二つの機器の少なくとも一つが前記処理ユニットに配線で通信接続される、請求項１５２に記載のシステム。
【請求項１５８】
前記少なくとも一つの機器がインプラント可能な装置である、請求項１５２に記載のシステム。
【請求項１５９】
前記処理ユニットが、前記遠位圧力測定値の少なくとも一部に対して前記近位圧力測定値の少なくとも一部を時間的に整列させるように更に構成される、請求項１４０に記載のシステム。
【請求項１６０】
前記処理ユニットと通信接続されたＥＣＧモニターを更に備え、
前記処理ユニットが、前記ＥＣＧモニターから受信したＥＣＧ信号の特徴に基づいて前記診断窓を選択するように構成される、請求項１４０に記載のシステム。
【請求項１６１】
患者の管内に少なくとも一つの機器を導入する；
患者の心周期の前記管の狭窄の近位の位置で管内の近位圧力測定値を前記少なくとも一つの機器から取得する；
前記患者の心周期の前記管の前記狭窄の遠位の位置で管内の遠位圧力測定値を前記少なくとも一つの機器から取得する；
前記患者の心周期においてピーク近位圧力測定値を決定する；
前記患者の心周期においてピーク遠位圧力測定値を決定する；
前記患者の心周期内において前記患者の心周期の一部のみを包囲する診断窓を選択する；及び
前記診断窓の過程で取得された前記遠位圧力測定値と前記診断窓の過程で取得された近位圧力測定値の間の圧力比を計算するステップを含み、
前記ピーク近位圧力測定値及びピーク遠位圧力測定値に基づくパラメーターが、前記圧力比の計算に用いられる、患者の管の評価方法。
【請求項１６２】
前記ピーク近位圧力測定値及びピーク遠位圧力測定値に基づくパラメーターが、前記ピーク近位圧力測定値及び前記ピーク遠位圧力測定値の間の差である、請求項１６１に記載の方法。
【請求項１６３】
前記ピーク近位圧力測定値及び前記ピーク遠位圧力測定値の間の差が、前記ピーク近位圧力測定値から前記ピーク遠位圧力測定値を減算することにより計算される、請求項１６２に記載の方法。
【請求項１６４】
前記ピーク近位圧力測定値及び前記ピーク遠位圧力測定値の間の差が、前記圧力比の計算の際に前記遠位圧力測定値に加えられる、請求項１６３に記載の方法。
【請求項１６５】
前記ピーク近位圧力測定値及び前記ピーク遠位圧力測定値の間の差が、前記ピーク遠位圧力測定値から前記ピーク近位圧力測定値を減算することにより計算される、請求項１６２に記載の方法。
【請求項１６６】
前記ピーク近位圧力測定値及び前記ピーク遠位圧力測定値の間の差が、前記圧力比の計算の際に前記遠位圧力測定値から減算される、請求項１６５に記載の方法。
【請求項１６７】
前記ピーク近位圧力測定値及びピーク遠位圧力測定値に基づくパラメーターが、前記ピーク近位圧力測定値に対する前記ピーク遠位圧力測定値の比である、請求項１６１に記載の方法。
【請求項１６８】
前記ピーク近位圧力測定値に対する前記ピーク遠位圧力測定値の前記比が、前記圧力比の計算においてスケール因子として用いられる、請求項１６７に記載の方法。
【請求項１６９】
前記遠位圧力測定値が、前記圧力比の計算の際、前記ピーク近位圧力測定値に対する前記ピーク遠位圧力測定値の前記比により乗算される、請求項１６７に記載の方法。
【請求項１７０】
前記患者の管内に導入される前記少なくとも一つの機器が、圧力検出カテーテル及び圧力検出ガイドワイヤーを含む、請求項１６０に記載の方法。
【請求項１７１】
患者の管内への導入のための大きさと形状を持つ少なくとも一つの機器；
前記少なくとも一つの機器と通信接続される処理ユニットであって、
前記管の狭窄の近位の位置で前記少なくとも一つの機器が前記管内に配置される時に前記少なくとも一つの機器から患者の心周期の近位圧力測定値を取得し；
前記管の前記狭窄の遠位の位置で前記少なくとも一つの機器が前記管内に配置される時に前記少なくとも一つの機器から前記患者の心周期の遠位圧力測定値を取得し；
前記患者の心周期におけるピーク近位圧力測定値を決定し；
前記患者の心周期におけるピーク遠位圧力測定値を決定し；
前記患者の心周期内において前記患者の心周期の一部のみを包囲する診断窓を選択し；及び
前記診断窓内で得られた前記遠位圧力測定値と前記診断窓内で得られた前記近位圧力測定値の間の圧力差を計算するように構成された処理ユニットを備え、
前記ピーク近位圧力測定値及びピーク遠位圧力測定値に基づくパラメーターが、前記圧力比の計算に用いられる、システム。
【請求項１７２】
前記ピーク近位圧力測定値及びピーク遠位圧力測定値に基づくパラメーターが、前記ピーク近位圧力測定値及び前記ピーク遠位圧力測定値の間の差である、請求項１７１に記載のシステム。
【請求項１７３】
前記ピーク近位圧力測定値及び前記ピーク遠位圧力測定値の間の差が、前記ピーク近位圧力測定値から前記ピーク遠位圧力測定値を減算することにより計算される、請求項１７２に記載のシステム。
【請求項１７４】
前記ピーク近位圧力測定値及び前記ピーク遠位圧力測定値の間の差が、前記圧力比の計算の際に前記遠位圧力測定値に加えられる、請求項１７３に記載のシステム。
【請求項１７５】
前記ピーク近位圧力測定値及び前記ピーク遠位圧力測定値の間の差が、前記ピーク遠位圧力測定値から前記ピーク近位圧力測定値を減算することにより計算される、請求項１７２に記載のシステム。
【請求項１７６】
前記ピーク近位圧力測定値及び前記ピーク遠位圧力測定値の間の差が、前記圧力比の計算の際に前記遠位圧力測定値から減算される、請求項１７５に記載のシステム。
【請求項１７７】
前記ピーク近位圧力測定値及びピーク遠位圧力測定値に基づくパラメーターが、前記ピーク近位圧力測定値に対する前記ピーク遠位圧力測定値の比である、請求項１７１に記載のシステム。
【請求項１７８】
前記ピーク近位圧力測定値に対する前記ピーク遠位圧力測定値の前記比が、前記圧力比の計算においてスケール因子として用いられる、請求項１７７に記載のシステム。
【請求項１７９】
前記遠位圧力測定値は、前記圧力比の計算の際に、前記ピーク近位圧力測定値に対する前記ピーク遠位圧力測定値の前記比により乗算される、請求項１７７に記載のシステム。
【請求項１８０】
前記少なくとも一つの機器が圧力検出カテーテル及び圧力検出ガイドワイヤーを含む、請求項１７１に記載のシステム。
【請求項１８１】
患者の管内に少なくとも一つの機器を導入する；
患者の心周期について前記管の狭窄の近位の位置で管内の近位圧力測定値を前記少なくとも一つの機器から取得するステップであって、近位圧力測定値が集合的に近位波形を規定するステップ；
前記患者の心周期について前記管の前記狭窄の遠位の位置で管内の遠位圧力測定値を前記少なくとも一つの機器から取得するステップであって、遠位圧力測定値が集合的に遠位波形を規定するステップ；
前記遠位波形及び前記近位波形のスロープの比を計算するステップを含む、患者の管の評価方法。
【請求項１８２】
前記スロープの比が、前記心周期の選択された診断窓のために計算される、請求項１８１に記載の方法。
【請求項１８３】
前記診断窓が、前記患者の心周期の一部のみを包囲する、請求項１８２に記載の方法。
【請求項１８４】
前記遠位波形及び前記近位波形の少なくとも一つの前記スロープが、最良適合スロープ回帰として計算される、請求項１８１に記載の方法。
【請求項１８５】
前記遠位波形及び前記近位波形の少なくとも一つの前記スロープが、多項式曲線フィッティングスロープ回帰として計算される、請求項１８１に記載の方法。
【請求項１８６】
患者の管内への導入のための大きさと形状を持つ少なくとも一つの機器；
前記少なくとも一つの機器と通信接続される処理ユニットであって、
前記管の狭窄の近位の位置で前記少なくとも一つの機器が前記管内に配置される時に前記少なくとも一つの機器から患者の心周期の近位圧力測定値を取得するステップであって、近位圧力測定値が集合的に近位波形を規定するステップ；
前記管の前記狭窄の遠位の位置で前記少なくとも一つの機器が前記管内に配置される時に前記少なくとも一つの機器から前記患者の心周期の遠位圧力測定値を取得するステップであって、遠位圧力測定値が集合的に遠位波形を規定するステップ；及び
前記遠位波形及び前記近位波形のスロープの比を計算するステップを実行するように構成された処理ユニットを備える、患者の管の評価のためのシステム。
【請求項１８７】
前記スロープの比が、前記心周期の選択された診断窓のために計算される、請求項１８６に記載のシステム。
【請求項１８８】
前記診断窓が、前記患者の心周期の一部のみを包囲する、請求項１８７に記載のシステム。
【請求項１８９】
前記遠位波形及び前記近位波形の少なくとも一つの前記スロープが、最良適合スロープ回帰として計算される、請求項１８６に記載のシステム。
【請求項１９０】
前記遠位波形及び前記近位波形の少なくとも一つの前記スロープが、多項式曲線フィッティングスロープ回帰として計算される、請求項１８６に記載のシステム。
【発明の詳細な説明】
【技術分野】
【０００１】
本開示は、概して、管の評価、特に管を通じた流体の流れに対する妨害又は他の制限の重大性の評価に関する。本開示の態様は、幾つかの実施形態においては体内管の評価に特に適する。例えば、本開示の幾つかの特定の実施形態が、具体的には、ヒト血管の狭窄の評価のために構成される。
【背景技術】
【０００２】
虚血原因損傷を含む、現在受け入れられている血管の狭窄の重大性の評価技術は、ＦＦＲ(fractional flow reserve(血流予備量比)）である。ＦＦＲは（狭窄の近位側で取得される）近位圧力測定値に対する（狭窄の遠位側で取得される）遠位圧力測定値の比率の計算である。ＦＦＲが狭窄重大性の指標を提供し、妨害により管内の血流が治療を要求する程度であるか否かを決定することを可能にする。健康な管のＦＦＲの通常値が１．００であり、約０．８０未満の値が一般的には重大と見なされて治療を要求する。一般的な治療方法が、管形成術及びステント・グラフト留置術を含む。
【０００３】
冠血流は、（大動脈のもののように）近位に生じる圧力の変動により影響を受けるのみではなく、微小循環で遠位に生じる変動によっても同時に影響を受ける点において独特である。従って、狭窄に亘る平均又はピーク圧力の降下を単に測定するだけでは冠状狭窄の重大性を正確に評価することが可能ではない。なぜなら、遠位冠状圧力が、管の大動脈端から伝達した圧力の純粋な残部ではないためである。結果として、冠状動脈内のＦＦＲの効果的な計算のため、管内の管抵抗を減じることが必要である。現在、アデノシンといった薬理学の充血剤が冠状動脈内の抵抗を減少及び安定化するために処置される。強力な管拡張剤により抵抗の劇的な変動が減じられ（優勢には、心臓サイクルの収縮期に関連する微小循環抵抗が減じられ）、相対的に安定した、また最小の抵抗値が得られる。
【０００４】
しかしながら、充血剤の投与は常に可能なものではなく又は勧められるものでもない。第１に、充血剤の投与の臨床努力が甚大になる。幾つかの国（特には、米国）においては、アデノシンといった充血剤が高価であり、また静脈内に配送される場合には得るのに多大な時間を必要とする。この点に関しては、一般的には、静脈供給アデノシンは、病院薬局において必要に応じて混合される。アデノシンを用意してオペ領域に配送するには甚大な時間や努力が必要になる。これらのロジスティック障壁が、ＦＦＲを使用する医師の決定に影響し得る。第２に、幾つかの患者は、ぜんそく、深刻な慢性閉塞性肺疾患、低血圧、徐脈、低い心臓駆出率、最近の心筋梗塞、及び／又は充血剤の投与を阻止する他の要因といった充血剤の使用に対する禁忌を有する。第３に、多くの患者は、充血剤の投与を不快だと感じ、ＦＦＲ測定値の獲得のプロセス過程にて複数回も充血剤が投与されなければならないという事実によりその度合いが増されるだけである。第４に、充血剤の投与が、別方法であれば回避されるだろう中心静脈アクセス（例えば、中心静脈シース）も要求する。最後に、全ての患者が予期したように充血剤に応答するものではなく、また幾つかの場合には、充血剤の投与前にこれらの患者を識別することは困難である。
【０００５】
従って、管における妨害、特には血管の狭窄の重大性の評価のための改良された装置、システム、及び方法の必要性が残存している。この点に関しては、充血剤の投与を要求しない冠状動脈における狭窄の重大性の評価のための改良された装置、システム、及び方法の必要性が残存している。
【発明の概要】
【発明が解決しようとする課題】
【０００６】
本開示の実施形態は、管における妨害、特には血管の狭窄の重大性を評価するように構成される。幾つかの特定の実施形態においては、本開示の装置、システム、及び方法は、充血剤の投与無しで冠状動脈における狭窄の重大性を評価するように構成される。
【課題を解決するための手段】
【０００７】
幾つかの場合においては、患者の管の評価方法が提供される。方法が、患者の管内に少なくとも一つの機器を導入する；少なくとも一つの患者の心周期について前記管の狭窄の近位の位置で管内の近位圧力測定値を前記少なくとも一つの機器から取得する；前記少なくとも一つの患者の心周期について前記管の前記狭窄の遠位の位置で管内の遠位圧力測定値を前記少なくとも一つの機器から取得する；患者の心周期内で前記患者の心周期の一部のみを包囲する診断窓を選択する；及び前記診断窓内で取得された前記遠位圧力測定値と前記診断窓内で取得された近位圧力測定値の間の圧力差を計算するステップを含む。幾つかの実施形態においては、前記診断窓が、前記近位圧力測定値の１以上の特徴に基づいて少なくとも部分的に選択される。例えば、前記診断窓の始点及び／又は終点が、前記近位圧力測定値に基づいて選択される。その点に関して、始点及び／又は終点が、前記近位圧力測定値の重拍ノッチ、近位圧力測定値のピーク圧力、近位圧力測定値の圧力の最大変化、前記近位圧力測定値の心周期の開始、前記近位圧力測定値の心拡張の開始の１以上に基づく。幾つかの場合においては、前記診断窓の終点が、前記始点からの固定量の時間になるように選択される。
【０００８】
幾つかの実施形態においては、前記診断窓が、前記遠位圧力測定値の１以上の特徴に基づいて少なくとも部分的に選択される。例えば、前記診断窓の始点及び／又は終点が、前記遠位圧力測定値に基づいて選択される。その点に関して、始点及び／又は終点が、前記遠位圧力測定値の重拍ノッチ、遠位圧力測定値のピーク圧力、遠位圧力測定値の圧力の最大変化、前記遠位圧力測定値の心周期の開始、前記遠位圧力測定値の心室化点、及び遠位圧力測定値の心拡張の開始の１以上に基づく。幾つかの場合においては、前記診断窓が、最大診断窓を識別し、また診断窓として最大診断窓の一部を選択することにより選択される。
更には、幾つかの実施形態においては、方法は、前記管を通じて流れる流体の流速値を前記少なくとも一つの機器から取得するステップを更に含む。この点に関しては、幾つかの場合においては、前記診断窓が、前記流速値の差分、第１微分係数、及び／又は第２微分係数が相対的に一定値の約ゼロを持つ前記心周期の一部に対応するように選択される。幾つかの実施形態においては、前記診断窓が、患者のＥＣＧ信号の特徴に基づいて選択される。幾つかの実施形態においては、患者の心臓が、前記近位及び遠位圧力測定値が取得される前記少なくとも一つの心周期の間にストレスを受けない。更には、幾つかの実施形態においては、方法が、更に、前記遠位圧力測定値の少なくとも一部に対して前記近位圧力測定値の少なくとも一部を時間的に整列することを含む。
【０００９】
幾つかの実施形態においては、患者の管を評価するためのシステムが提供される。この点に関しては、システムが、患者の管内への導入のための大きさと形状を持つ少なくとも一つの機器と、前記少なくとも一つの機器と通信接続される処理ユニットを含む。処理ユニットが、前記管の評価のために前記少なくとも一つの機器から受信したデータを処理するように構成される。
【００１０】
本開示の追加の態様、特徴、及び利益が、次の詳細な説明から明らかになる。
図示の本開示の実施形態が、添付図面を参照して記述される。
【図面の簡単な説明】
【００１１】
【図１】図１は、本開示の実施形態に係る狭窄を有する管の図表の斜視図である。
【図２】図２は、図１の切断線２−２に沿って取られた図１の管の部分の図表の部分断面斜視図である。
【図３】図３は、本開示の実施形態に係る図１及び２の管とそこに配置された機器の図表の、部分断面斜視図である。
【図４】図４は、本開示の実施形態に係るシステムの図表の概略図である。。
【図５】図５は、本開示の実施形態に係る管内の測定された圧力、速度、及び抵抗のグラフ表示である。
【図６】図６は、患者の安静状態に対応する図５のグラフ表示の部分の拡大図である。
【図７】図７は、患者の充血状態に対応する図５のグラフ表示の部分の拡大図である。
【図８】図８は、本開示の実施形態に係る診断窓を特定するために注釈された図６のグラフ表示の部分である。
【図９】図９は、本開示の実施形態に係る管内の測定された圧力及び速度のグラフ表示である。
【図１０】図１０は、本開示の実施形態に係る図９の測定された速度の微分係数（導関数）のグラフ表示である。
【図１１】図１１は、本開示の実施形態に係る診断窓を特定するために注釈された図９のグラフ表示である。
【図１２】図１２は、本開示の実施形態に係る管内の波形強度のグラフ表示である。
【図１３】図１３は、本開示の実施形態に係る図１２の波形強度に対応する管内の近位及び遠位起因圧力波形のグラフ表示である。
【図１４】図１４は、本開示の実施形態に係る図１３の近位及び遠位起因圧力波形及び図１２の波形強度に対応する管内の圧力及び速度のグラフ表示である。
【図１５】図１５は、本開示の実施形態に係る図１２の波形強度、図１３の近位及び遠位起因圧力波形、及び図１４の圧力及び速度に対応する管内の抵抗のグラフ表示である。
【図１６】図１６は、本開示の実施形態に係る近位圧力測定値に基づく診断窓の始点の特定のグラフ表示である。
【図１７】図１７は、本開示の別の実施形態に係る近位圧力測定値に基づく診断窓の始点の特定のグラフ表示である。
【図１８】図１８は、本開示の別の実施形態に係る近位圧力測定値に基づく診断窓の始点の特定のグラフ表示である。
【図１９】図１９は、本開示の実施形態に係る遠位圧力測定値に基づく診断窓の始点の特定のグラフ表示である。
【図２０】図２０は、本開示の別の実施形態に係る遠位圧力測定値に基づく診断窓の始点の特定のグラフ表示である。
【図２１】図２１は、本開示の別の実施形態に係る遠位圧力測定値に基づく診断窓の始点の特定のグラフ表示である。
【図２２】図２２は、本開示の別の実施形態に係る遠位圧力測定値に基づく診断窓の始点の特定のグラフ表示である。
【図２３】図２３は、本開示の実施形態に係る診断窓の始点に基づく診断窓の終点の特定のグラフ表示である。
【図２４】図２４は、本開示の実施形態に係る近位圧力測定値に基づく診断窓の終点の特定のグラフ表示である。
【図２５】図２５は、本開示の実施形態に係る遠位圧力測定値に基づく診断窓の終点の特定のグラフ表示である。
【図２６】図２６は、本開示の実施形態に係る遠位圧力測定値に基づく診断窓の終点の特定のグラフ表示である。
【図２７】図２７は、本開示の実施形態に係る近位及び遠位圧力測定値に対する診断窓のグラフ表示である。
【図２８】図２８は、本開示の別の実施形態に係る近位及び遠位圧力測定値に対する診断窓のグラフ表示である。
【図２９】図２９は、本開示の実施形態に係るＥＣＧ信号のグラフ表示である。
【図３０】図３０は、本開示の別の実施形態に係る近位及び遠位圧力測定値に対する診断窓のグラフ表示である。
【図３１】図３１は、本開示の実施形態に係る近位及び遠位圧力測定値に対する診断窓のグラフ表示である。
【図３２】図３２は、近位圧力測定値に対する遠位圧力測定値の一時的な調整を図示する図３０のグラフ表示の部分の拡大図である。
【図３３】図３３は、本開示の実施形態に係る管内の近位及び遠位圧力測定値のグラフ表示である。
【図３４】図３４は、本開示の実施形態に係るグラフ表示の組であり、上部グラフ表示が、管内の近位及び遠位圧力測定値を図示し、下部グラフ表示が、近位及び遠位圧力測定値の比率、及び近位圧力波形と遠位圧力波形のフィットを図示する。
【図３５】図３５は、図３３のグラフ表示に類似するグラフ表示の組であるが、上部グラフ表示の遠位圧力測定値波形が図３３の遠位圧力波形に対してシフトされており、また下部グラフ表示が、近位及び遠位圧力測定値の対応の比率及びシフトされた遠位圧力測定値波形に基づく近位圧力波形及び遠位圧力波形の間の適合を図示する。
【発明を実施するための形態】
【００１２】
本開示の原則の理解の促進の目的のため、図面に図示された実施形態に対する参照がここで為され、同説明のために特定の文言が用いられる。しかしながら、開示の範囲に何らの限定も意図されないものと理解される。説明の装置、システム、及び方法に対する如何なる改変及び更なる修正、及び本開示の原則の全ての更なる適用が、本開示に関連の技術分野の当業者に自然に起きるように、本開示の範囲内で十分に考えられ、またそこに含まれる。特には、ある実施形態に関連して説明した特徴、部品、及び／又はステップが、本開示の他の実施形態に関連して説明した特徴、部品、及び／又はステップに組み合わすことができるものと良く理解される。しかしながら、簡潔さの目的のため、これらの組み合わせの多数の繰り返しが別々に記述されない。
【００１３】
図１及び２を参照すると、本開示の実施形態に係る狭窄を有する管１００が開示される。この点に関しては、図１は、管１００の図表の斜視図であり、図２は、図１の切断線２−２に沿って取られた管１００の一部の部分断面斜視図である。より詳細に図１を参照すると、管１００が、近位部１０２及び遠位部１０４を有する。ルーメン１０６が、近位部１０２及び遠位部１０４の間を管１００の長さに沿って延びる。この点に関しては、ルーメン１０６は、管を通した流体の流れを許容するように構成される。幾つかの場合においては、管１００は、全身の血管である。幾つかの特定の場合においては、管１００は、冠状動脈である。そのような場合においては、ルーメン１０６は、管１００を通じた血液の流れを促進するように構成される。
【００１４】
開示のように、管１００は、近位部１０２及び遠位部１０４の間に狭窄１０８を含む。狭窄１０８は、一般的には、管１００のルーメン１０６を介した流体の流れの制限に帰結する任意の妨害又は他の構造的な要素の代表である。本開示の実施形態は、広範囲の脈管用途での使用に適切であり、限定の意図を有することなく、冠状、末梢（限定するわけではないが、下部肢、頸動脈、及び神経管を含む）、腎臓、及び／又は静脈を含む。管１００が血管の場合、狭窄１０８が、限定の意図を有することなく、繊維、繊維脂質（繊維脂肪質）、壊死性コア、石灰化（高濃度カルシウム）、血液、新しい血栓、及び発達した血栓といったプラーク片を含むプラーク蓄積の結果である。一般的には、狭窄の構成物は、評価される管の種類に依存する。この点に関しては、本開示の概念が、減じられた流体の流れに帰結する任意のタイプの妨害又は他の管の狭化に実質的に適用可能であると理解される。
【００１５】
より端的に図２を参照すると、管１００のルーメン１０６が、狭窄１０８の近位直径１１０及び狭窄の遠位直径１１２を有する。幾つかの場合においては、直径１１０及び１１２が、お互いに実質的に等しい。この点に関しては、直径１１０及び１１２が、狭窄１０８と比較し、ルーメン１０６の健康な部分、又は少なくともより健康な部分を表すことが意図される。従って、ルーメン１０６のこれらのより健康な部分が、実質的に一定の円筒プロファイルを有するように図示され、また、結果として、ルーメンの高さ又は幅が、直径として言及される。しかしながら、多くの場合においては、ルーメン１０６のこれらの部分が、狭窄１０８よりも少ない程度であるが、プラーク堆積、非対称プロファイル、及び／又は他の不規則も有し、従って、円筒プロファイルを有しないものと理解される。そのような場合においては、直径１１０及び１１２が、ルーメンの相対サイズ又は断面領域の代表であるものと理解され、円形の断面プロファイルを意味しない。
【００１６】
図２に示すように、狭窄１０８が、管１００のルーメン１０６を狭めるプラーク堆積１１４を含む。幾つかの場合においては、プラーク堆積１１４が、均一又は対称なプロファイルを有せず、そのような狭窄の管造影法の評価を頼りにならないものにする。図示の実施形態においては、プラーク堆積１１４が、上部１１６及び対向の下部１１８を含む。この点に関しては、下部１１８が、上部１１６に対して増加した厚みを有し、狭窄１０８の近位及び遠位のルーメンの部分に対して非対称及び非均一なプロファイルに帰結する。開示のように、プラーク堆積１１４が、ルーメン１０６を通じて流体が流れる利用可能な空間を減じる。特には、ルーメン１０６の断面領域が、プラーク堆積１１４により減じられる。上部及び下部１１６、１１８の間の最も狭い位置において、ルーメン１０６が高さ１２０を有し、これは、狭窄１０８の近位及び遠位の直径１１０及び１１２に対する減じられたサイズ又は断面領域を示す。プラーク堆積１１４を含む狭窄１０８が、実際は例示であり、如何なる態様でも限定と理解されるべきではないことに留意されたい。この点に関しては、他の場合においては、狭窄１０８は、ルーメン１０６を通じた流体の流れを制限する他の形状及び／又は組成を有するものと理解される。管１００が図１及び２において単一の狭窄１０８を有するように図示され、また以下の実施形態の記述が、単一の狭窄の内容において主に為されるが、しかし、本明細書に記述の装置、システム、及び方法が、複数の狭窄領域を持つ管に同様の用途を持つものと理解される。
【００１７】
ここで図３を参照すると、本開示の実施形態に係る管１００が、そこに配置された機器１３０及び１３２と共に図示される。一般的には、機器１３０及び１３２が、管内に配置されるようにサイズ及び形状出しされた任意の形態の装置、機器又はプローブである。図示の実施形態においては、機器１３０は、概してガイドワイヤーを代表し、他方、機器１３２は、概してカテーテルを代表する。この点に関しては、機器１３０が、機器１３２の中央ルーメンを通じて延びる。しかしながら、他の実施形態においては、機器１３０及び１３２が、他の形態を取る。この点に関しては、機器１３０及び１３２が、幾つかの実施形態においては同一の形態である。例えば、幾つかの場合においては、両方の機器１３０及び１３２がガイドワイヤーである。他の場合においては、両方の機器１３０及び１３２がカテーテルである。他方、幾つかの実施形態においては、機器１３０及び１３２が、図示の実施形態のように異なる形態であり、そこでは機器の一方がカテーテルであり、また他方がガイドワイヤーである。更には、幾つかの場合においては、機器１３０及び１３２が、図３の図示の実施形態に示すようにお互いに同軸に配置される。他の場合においては、機器の一方が、他方の機器の非中央ルーメンを延びる。また別の場合においては、機器１３０及び１３２が隣り合って延びる。幾つかの特定の実施形態においては、少なくとも一つの機器が、高速交換カテーテルといった高速交換装置である。そのような実施形態においては、他方の機器が、バディーワイヤー(buddy wire)であり、他の装置が、高速交換装置の導入及び除去を促進するべく構成される。また更には、他の場合においては、二つの別々の機器１３０及び１３２に代えて、単一の機器が利用される。この点に関しては、幾つかの実施形態においては、単一の機器が、両方の機器１３０及び１３２の機能(例えば、データ取得)の態様を包含する。
【００１８】
機器１３０は、管１００に関する診断情報を取得するように構成される。この点に関しては、機器１３０は、管に関する診断情報を取得するべく構成された１以上のセンサー、トランスデューサー、及び／又は他のモニタリング要素を含む。診断情報が、圧力、流れ（速度）、イメージ（超音波（例えば、ＩＶＵＳ）、ＯＣＴ、熱、及び／又は他のイメージング技術を用いて取得されたイメージを含む）、温度の１以上、及び／又はこれらの組み合わせを含む。幾つかの場合においては、１以上のセンサー、トランスデューサー、及び／又は他のモニタリング要素が、機器１３０の遠位部に隣接して配置される。この点に関しては、幾つかの場合においては、１以上のセンサー、トランスデューサー、及び／又は他のモニタリング要素が、機器１３０の遠位先端１３４から３０ｃｍ未満、１０ｃｍ未満、５ｃｍ未満、３ｃｍ未満、２ｃｍ未満、及び／又は１ｃｍ未満に配置される。幾つかの場合においては、少なくとも一つの１以上のセンサー、トランスデューサー、及び／又は他のモニタリング要素が、機器１３０の遠位先端に配置される。
【００１９】
機器１３０は、管１００内の圧力をモニターするべく構成された少なくとも一つの要素を含む。圧力モニタリング要素が、ピエゾ−抵抗圧力センサー、ピエゾ−電気圧力センサー、容量性圧力センサー、電磁圧力センサー、流体カラム（流体カラムは、機器とは別の及び／又は流体カラムの近位の機器の部分に配置された流体カラムセンサーと通信接続される）、光学圧力センサー、及び／又はこれらの組み合わせの形態を取ることができる。幾つかの場合においては、圧力モニタリング要素の１以上の特徴が、半導体及び／又は他の適切な製造技術を用いて製造された固体部品として実施される。適切な圧力モニタリング要素を含む、商業的に入手可能なガイドワイヤー製品の例が、限定の意図を有することなく、PrimeWire PRESTIGE（登録商標）圧力ガイドワイヤー、PrimeWire（登録商標）圧力ガイドワイヤー、及びComboWire（登録商標）XT圧力及びフローガイドワイヤーを含み、各々がVolcano社から入手可能であり、また同様に、PressureWire（商標）Certusガイドワイヤー及びPressureWire（商標）Aerisガイドワイヤーを含み、各々が、St.Jude Medical社から入手可能である。一般的には、機器１３０が、遠位圧力の記録に影響する、狭窄に亘る流体の流れに甚大な影響を与えることなく、狭窄１０８を通じて配置可能である大きさに構成される。従って、幾つかの場合においては、機器１３０が、０．００１８”未満の外径を有する。幾つかの実施形態においては、機器１３０が０．０１４”未満の外径を有する。
【００２０】
機器１３２は、管１００に関する診断情報を取得するようにも構成される。幾つかの場合においては、機器１３２は、機器１３０と同じ診断情報を取得するように構成される。他の場合においては、機器１３２は、機器１３０とは異なる診断情報を取得するように構成され、これは、追加の診断情報、少ない診断情報、及び／又は代替の診断情報を含む。機器１３２により取得された診断情報は、圧力、流れ（速度）、イメージ（超音波（例えば、ＩＶＵＳ）、ＯＣＴ、熱、及び／又は他のイメージング技術を用いて取得されたイメージを含む）、温度の１以上、及び／又はこれらの組み合わせを含む。機器１３２は、この診断情報を取得するべく構成された１以上のセンサー、トランスデューサー、及び／又は他のモニタリング要素を含む。この点に関しては、１以上のセンサー、トランスデューサー、及び／又は他のモニタリング要素が、幾つかの場合においては、機器１３２の遠位部に隣接して配置される。この点に関しては、幾つかの場合においては、１以上のセンサー、トランスデューサー、及び／又は他のモニタリング要素が、機器１３２の遠位先端１３６から３０ｃｍ未満、１０ｃｍ未満、５ｃｍ未満、３ｃｍ未満、２ｃｍ未満、及び／又は１ｃｍ未満に配置される。幾つかの場合においては、少なくとも一つの１以上のセンサー、トランスデューサー、及び／又は他のモニタリング要素が、機器１３２の遠位先端に配置される。
【００２１】
機器１３０と同様、機器１３２は、管１００内の圧力をモニターするべく構成された少なくとも一つの要素も含む。圧力モニタリング要素が、ピエゾ−抵抗圧力センサー、ピエゾ−電気圧力センサー、容量性圧力センサー、電磁圧力センサー、流体カラム（流体カラムは、機器とは別の及び／又は流体カラムの近位の機器の部分に配置された流体カラムセンサーと通信接続される）、光学圧力センサー、及び／又はこれらの組み合わせの形態を取ることができる。幾つかの場合においては、圧力モニタリング要素の１以上の特徴が、半導体及び／又は他の適切な製造技術を用いて製造された固体部品として実施される。幾つかの実施形態においては、ミラーカテーテルが利用される。フィリップス社のXper Flex Cardio Physiomonitoring System,ＧＥ社のMac-Lab XT及びXTi血流力学記録システム、シーメンス社のAXIOM Sensis XP VC１１、McKesson社のHorizon Cardiology Hemo、及びMennen社のHorizon XVu血行力学モニタリングシステムの１以上での使用に適切な現在入手可能なカテーテル製品が圧力モニタリング要素を含み、幾つかの場合においては、機器１３２に利用可能である。
【００２２】
本開示の態様においては、少なくとも一つの機器１３０及び１３２が、狭窄１０８の遠位の管１００内の圧力をモニターするように構成され、また少なくとも一つの機器１３０及び１３２が、狭窄の近位の管内の圧力をモニターするように構成される。この点に関しては、機器１３０、１３２が、装置の構成に基づいて必要なように管１００内の圧力をモニターするように構成されて狭窄１０８の近位及び／又は遠位に配置される少なくとも一つの要素の配置を許容する大きさと形状に構成される。この点に関しては、図３は、狭窄１０８の遠位圧力の測定に適した位置１３８を図示する。この点に関しては、幾つかの場合においては、(図２に示すように)位置１３８が、狭窄１０８の遠位端から、５ｃｍ未満、３ｃｍ未満、２ｃｍ未満、１ｃｍ未満、５ｍｍ未満、及び／又は２．５ｍｍ未満である。図３は、狭窄１０８の近位圧力の測定に適した複数の位置も図示する。この点に関しては、幾つかの場合においては、位置１４０、１４２、１４４、１４６、及び１４８が、各々、狭窄の近位の圧力の測定に適した位置を代表する。この点に関しては、位置１４０、１４２、１４４、１４６、及び１４８が、狭窄１０８の近位端から変動する距離に設けられ、２０ｃｍ超から約５ｍｍ以下までの範囲に及ぶ。一般的には、近位圧力測定が、狭窄の近位端から離間される。従って、幾つかの場合においては、近位圧力測定が、狭窄の近位端から管のルーメンの内径に等しい若しくはそれよりも大きい距離で行われる。冠状動脈の圧力測定に照らして、近位圧力測定は、一般的に、管の近位部において、狭窄の近位の位置かつ大動脈の遠位の位置で行われる。しかしながら、冠状動脈の圧力測定の幾つかの特定の場合においては、大動脈内の場所から近位圧力測定値が取られる。他の場合においては、近位圧力測定値が、冠状動脈の付け根又は口で取られる。
【００２３】
ここで図４を参照すると、開示の実施形態に係るシステム１５０が図示される。この点に関しては、図４は、システム１５０の図表の概略図である。開示のように、システム１５０は、機器１５２を含む。この点に関しては、幾つかの場合においては、機器１５２は、上述した機器１３０及び１３２の少なくとも一つのとしての使用に適切である。従って、幾つかの場合においては、機器１５２は、幾つかの場合においては、機器１３０及び１３２に関して上述したものと同様の特徴を含む。図示の実施形態においては、機器１５２は、遠位部１５４及び遠位部に隣接した配置されたハウジング１５６を有するガイドワイヤーである。この点に関しては、ハウジング１５６は、機器１５２の遠位先端から凡そ３ｃｍ離間される。ハウジング１５６は、管に関する診断情報を取得するべく構成された１以上のセンサー、トランスデューサー、及び／又は他のモニタリング要素を収容するように構成される。図示の実施形態においては、ハウジング１５６が、機器１５２が配置されるルーメン内の圧力をモニターするべく構成された少なくとも一つの圧力センサーを含む。シャフト１５８が、ハウジング１５６から近位に延びる。トルク装置１６０が、シャフト１５８の近位部に亘り配置され、またそこに結合される。機器１５２の近位端位置１６２がコネクター１６４に結合される。ケーブル１６６が、コネクター１６４からコネクター１６８へ延びる。幾つかの場合においては、コネクター１６８は、インターフェイス１７０内に差し込まれるべく構成される。この点に関しては、幾つかの場合においては、インターフェイス１７０は、患者インターフェイスモジュール（ＰＩＭ）である。幾つかの場合においては、ケーブル１６６が、ワイヤレスコネクションで置換される。この点に関しては、機器１５２及びインターフェイス１７０の間で、物理コネクション（電気、光学、及び／又は流体コネクションを含む）、ワイヤレスコネクション、及び／又はこれらの組み合わせを含む様々な通信路が利用されるものと理解される。
【００２４】
インターフェイス１７０が、コネクション１７４を介して計算装置１７２に通信可能に結合される。計算装置１７２は、概して、本開示内で説明する処理及び分析技術を実行するために適切な任意の装置を代表する。幾つかの実施形態においては、計算装置１７２が、プロセッサ、ランダムアクセスメモリー、及びストレージ媒体を含む。この点に関しては、幾つかの特定の場合においては、計算装置１７２が、本明細書で説明のデータ取得及び分析に関連のステップを実行するべくプログラムされる。従って、データ取得、データ処理、機器制御、及び／又は他の本開示の処理及び／又は制御態様に関連する任意のステップが、計算装置によりアクセス可能な非一時的コンピューター読み取り可能媒体上又は内に記憶された対応の指令を用いて計算装置により実行されるものと理解される。幾つかの場合においては、計算装置１７２がコンソール装置である。幾つかの特定の場合においては、計算装置１７２は、s５（商標）Imagingシステム又はs５i（商標）Imagingシステムに類似し、各々が、Volcano社から入手可能である。幾つかの場合においては、計算装置１７２が、ポータブルである（例えば、回転カート上で手持ちされる等）。更には、幾つかの場合においては、計算装置１７２が、複数の計算装置を備えるものと理解される。この点に関しては、本開示とは異なる処理及び／又は制御態様が、複数の計算装置を用いて別々若しくは事前に設定されたグループ内において実施されるものと特に理解される。複数の計算装置に亘る以下に説明の処理及び／又は制御の態様の任意の分割及び／又は組み合わせが、本開示の範囲内である。
【００２５】
一緒に、コネクター１６４、ケーブル１６６、コネクター１６８、インターフェイス１７０、及びコネクション１７４が、機器１５２の１以上のセンサー、トランスデューサー、及び／又は他のモニタリング要素及び計算装置１７２の間の通信を促進する。しかしながら、この通信路は実際には例示であり、また如何なる方法でも限定と理解されるべきではない。この点に関しては、機器１５２及び計算装置１７２の間で、物理コネクション（電気、光学、及び／又は流体コネクションを含む）、ワイヤレスコネクション、及び／又はこれらの組み合わせを含む任意の通信路が用いられるものと理解される。この点に関しては、幾つかの場合においては、コネクション１７４がワイヤレスであるものと理解される。幾つかの場合においては、コネクション１７４が、ネットワーク（例えば、イントラネット、インターネット、遠隔通信ネットワーク、及び／又は他のネットワーク）上の通信リンクを含む。この点に関しては、幾つかの場合においては、計算装置１７２が、機器１５２が用いられるオペ領域から離れて配置されるものと理解される。コネクション１７４にネットワークを介したコネクションを持たせることにより、計算装置が隣接の部屋、隣接の建物、又は異なる州／国にあるかを問わず、機器１５２とリモート計算装置１７２の間の通信を促進することができる。更には、幾つかの場合においては、機器１５２とリモート計算装置１７２の間の通信路が、セキュアコネクションであるものと理解される。また更には、幾つかの場合においては、機器１５２と計算装置１７２の間の通信路の１以上の部分に亘り通信されるデータが暗号化されるものと理解される。
【００２６】
システム１５０が、機器１７５を含む。この点に関しては、幾つかの場合においては、機器１７５が、上述の機器１３０及び１３２の少なくとも一つとしての使用に適切である。従って、幾つかの場合においては、機器１７５が、幾つかの場合において機器１３０及び１３２に関して上述したものと同様の特徴を含む。図示の実施形態においては、機器１７５は、カテーテル−タイプの装置である。この点に関しては、機器１７５が、管に関する診断情報を取得するべく構成された機器の遠位部に隣接した１以上のセンサー、トランスデューサー、及び／又は他のモニタリング要素を含む。図示の実施形態においては、機器１７５が、機器１７５が配置されるルーメン内の圧力をモニターするべく構成された圧力センサーを含む。機器１７５が、コネクション１７７を介してインターフェイス１７６に通信接続される。幾つかの場合においては、インターフェイス１７６が、Siemens AXIOM Sensis、Mennen Horizon XVu、及びPhilips Xper IM Physiomonitoring ５といった、血流力学モニタリング装置又は他の制御装置である。ある特定の実施形態においては、機器１７５が、その長さに沿って延びる流体カラムを含む圧力−検出カテーテルである。そのような実施形態においては、インターフェイス１７６が、カテーテルの流体カラムに流体的に結合した止血バルブ、止血バルブに流体的に結合したマニホールド、部品を流体的に結合するのに必要なため部品の間を延びるチューブを含む。この点に関しては、カテーテルの流体カラムは、バルブ、マニホールド、及びチューブを介して圧力センサーに流体的に連通される。幾つかの場合においては、圧力センサーがインターフェイス１７６の一部である。他の場合においては、圧力センサーは、機器１７５及びインターフェイス１７６の間に配置された別部品である。インターフェイス１７６は、コネクション１７８を介して計算装置１７２に通信可能に結合される。
【００２７】
機器１５２及び計算装置１７２の間のコネクションと同様、インターフェイス１７６及びコネクション１７７及び１７８が、機器１７５の１以上のセンサー、トランスデューサー、及び／又は他のモニタリング要素及び計算装置１７２の間の通信を促進する。しかしながら、この通信路は実際には例示であり、また如何なる方法においても限定として理解されるべきではない。この点に関しては、機器１７５及び計算装置１７２の間で、物理コネクション（電気、光学、及び／又は流体コネクションを含む）、ワイヤレスコネクション、及び／又はこれらの組み合わせを含む任意の通信路が用いられるものと理解される。この点に関しては、この点に関しては、幾つかの場合においては、コネクション１７８がワイヤレスであるものと理解される。幾つかの場合においては、コネクション１７８が、ネットワーク（例えば、イントラネット、インターネット、遠隔通信ネットワーク、及び／又は他のネットワーク）上の通信リンクを含む。この点に関しては、幾つかの場合においては、計算装置１７２が、機器１７５が用いられるオペ領域から離れて配置されるものと理解される。コネクション１７８にネットワークを介したコネクションを持たせることにより、計算装置が隣接の部屋、隣接の建物、又は異なる州／国にあるかを問わず、機器１７５とリモート計算装置１７２の間の通信を促進することができる。更には、幾つかの場合においては、機器１７５とリモート計算装置１７２の間の通信路が、セキュアコネクションであるものと理解される。また更には、幾つかの場合においては、機器１７５と計算装置１７２の間の通信路の１以上の部分に亘り通信されるデータが暗号化されるものと理解される。
【００２８】
本開示の他の実施形態においては、システム１５０の１以上の部品が含まれず、異なる構成／順番で実施され、及び／又は代替の装置／機構により置換されるものと理解される。例えば、幾つかの場合においては、システム１５０は、インターフェイス１７０及び／又はインターフェイス１７６を含まない。そのような場合においては、コネクター１６８（又は機器１５２又は機器１７５と通信接続された他の類似のコネクター）が、計算装置１７２に関連のポートに差し込まれる。代替的に、機器１５２、１７５が、計算装置１７２とワイヤレスで通信する。一般的に述べれば、機器１５２、１７５及び計算装置１７２のいずれか又は両方の間の通信路が、中間ノードを有せず(つまり、ダイレクトコネクション)、機器及び計算装置の間の一つの中間ノードを有し、又は機器及び計算装置の間の複数の中間ノードを有し得る。
【００２９】
ここで図５乃至８を参照すると、そこには、本開示の実施形態の側面を図示する診断情報のグラフ表示が図示される。この点に関しては、図５は、管内で測定された圧力、速度、及び抵抗のグラフ表示である；図６は、患者の安静状態に対応する図５のグラフ表示の一部の拡大図である；図７は、患者の充血状態に対応する図５のグラフ表示の一部の拡大図である；及び図８は、本開示の実施形態に係る診断窓の特定のために注釈された図６のグラフ表示の一部である。
【００３０】
より端的に図５を参照すると、管に関する診断情報のグラフ表示１８０が図示される。より端的には、グラフ表示１８０が、期間に亘る管内の圧力をプロットするグラフ１８２、期間に亘る管内の流体の速度をプロットするグラフ１８４、及び期間に亘る管内の抵抗をプロットするグラフ１８６を含む。この点に関しては、グラフ１８６に示した抵抗（又はインピーダンス）は、グラフ１８２及び１８４の圧力及び速度データに基づいて計算される。特には、グラフ１８６に示した抵抗値は、グラフ１８２の圧力測定値を時間の対応点の速度測定値１８４により除算することにより決定される。グラフ表示１８０は、患者の心臓が安定状態に対応する時間範囲１８８と、患者の心臓がストレス状態に対応する時間範囲１９０を含む。この点に関しては、幾つかの場合においては、患者の心臓のストレス状態が、充血剤の投与により生じる。
【００３１】
患者の安静及びストレス状態の間において圧力、速度、及び抵抗データの違いをより良く図示するため、ウィンドウ１９２及び１９４内のデータのクローズアップ図が図６及び７に図示される。図６をより詳細に参照すれば、グラフ表示１８０のウィンドウ１９２が、グラフ１８２、１８４、及び１８６に各々対応するグラフ部分１９６、１９８、及び２００を含む。開示のように、図６の安静状態においては、管内の抵抗が、ライン２０２で示唆されるようにグラフ２００のスケール上でおよそ０．３５の平均値を有する。ここで図７を参照すると、グラフ表示１８０のウィンドウ１９４が、グラフ１８２、１８４、及び１８６に各々が対応するグラフ部分２０４、２０６、及び２０８を含む。開示のように、図７のストレス状態においては、管内の抵抗がライン２１０により示唆されるように、グラフ２０８のスケール上でおよそ０．２０の値だけ顕著に安静状態未満である。現在のＦＦＲ技術が、全心拍サイクルに亘る平均圧力に依存するため、患者の心臓にストレスをかけることが必要であり、この減じられた及び相対的に一定な抵抗を全ての鼓動に亘り達成し、ＦＦＲ技術での使用に適切なデータを得ている。
【００３２】
図８を参照すると、図６と同様、図５のグラフ表示１８０のウィンドウ１９２が示され、グラフ１８２、１８４、及び１８６、に各々が対応するグラフ部分１９６、１９８、及び２００を含む。しかしながら、図８においては、患者の心拍サイクルのセクション２１２が識別されている。開示のように、セクション２１２が、患者の心拍サイクルの部分に対応し、ここでは、抵抗が、充血剤又は他のストレス手法の使用なしに減じられている。つまり、セクション２１２が、自然に減じられ、また相対的に一定な抵抗を持つ安静状態の患者の心拍サイクルの一部である。他の場合においては、心拍サイクルのセクション２１２が、心拍サイクルの最大抵抗の固定パーセント未満である心拍サイクルの部分を包含する。この点に関しては、心拍サイクルの最大抵抗の固定パーセントが、幾つかの実施形態においては、５０％未満、３０％未満、２５％未満、２０％未満、１５％未満、１０％未満、及び５％未満である。また別の場合においては、心拍サイクルのセクション２１２が、心拍サイクルの平均抵抗の固定パーセント未満である心拍サイクルの部分を包含する。この点に関しては、心拍サイクルの平均抵抗の固定パーセントが、幾つかの実施形態においては、７５％未満、５０％未満、２５％未満、２０％未満、１５％未満、１０％未満、及び５％未満である。
【００３３】
従って、本開示の幾つかの実施形態においては、セクション２１２に合致する心拍サイクルの部分が、充血剤や患者の心臓への他のストレスの使用をなしで患者の管の狭窄の評価のための診断窓として利用される。特には、狭窄に亘る圧力比（近位圧力により除算された遠位圧力）が、１以上の心拍のためにセクション２１２に対応する時間範囲で計算される。計算された圧力比が、幾つかの場合においては、セクション２１２により規定された診断窓に亘る平均値である。計算された圧力比を閾値又は所定値と比較することにより、医師又は他の治療医務人員が、もしあれば、治療が施されるべきであると決定できる。この点に関しては、幾つかの場合においては、計算された圧力が閾値（例えば、０．００〜１．００のスケール上で０．８０）を超えるならば、第１治療モード(例えば、治療なし、ドラッグ療法等)が示唆され、他方、計算された圧力比が閾値未満であれば、第２のより侵害の治療モード(例えば、管形成、ステント等)が示唆される。幾つかの場合においては、閾値が固定、プリセット値である。他の場合においては、閾値が特定の患者及び／又は患者の特定の狭窄のために選択される。この点に関しては、特定の患者のための閾値が、１以上の経験的なデータ、患者の特徴、患者経歴、医師の好み、入手可能な治療オプション、及び／又は他のパラメーターに基づく。
【００３４】
幾つかの場合においては、セクション２１２が、１以上の機器を用いて管内の圧力及び流体の流速をモニターし、また測定した圧力及び速度に基づいて管内の抵抗を計算することにより識別される。例えば、図３の実施形態を再度参照すると、幾つかの場合においては、機器１３０が、少なくとも圧力及び流速をモニターするべく構成された１以上の検出素子を含み、他方、機器１３２が、少なくとも圧力をモニターするべく構成された１以上の検出素子を含む。従って、狭窄の遠位に配置された機器１３０の１以上の検出素子及び狭窄の近位に配置された機器１３２の１以上の検出素子で、機器１３０により取得された圧力及び流速値が、セクション２１２の識別のために利用される。セクション２１２の識別に基づいて、次に、対応の遠位圧力測定値（機器１３０の１以上の検出素子により取得される）が、近位圧力測定値（機器１３２の１以上の検出素子により取得される）と比較され、セクション２１２により規定された診断窓の間で狭窄に亘る圧力比を計算する。圧力及び流速値に基づいて管を評価する追加例が、２０１０年３月１０日出願の英国特許出願Ｎｏ．１００３９６４．２、タイトル「管内の流体の流れの制限の測定のための方法及び機器」に説明され、これがその全体において参照により本明細書に組み込まれる。
【００３５】
他の場合においては、セクション２１２が、流体速度にモニタリングを行うことなく識別される。この点に関しては、充血剤の不使用でも狭窄に亘る圧力比に基づいて管の狭窄を評価する使用に適切な診断窓の識別のための幾つかの手法が以下に説明される。幾つかの場合においては、診断窓が、管内に配置された機器により取得された圧力測定値の特徴のみに基づいて識別される。従って、そのような場合においては、使用される機器が、管内の圧力をモニターするべく構成された部品のみを有する必要があり、コストの低減及びシステムの単純化に帰結する。圧力測定値に基づいて管を強化する例示の手法が、２０１１年１月６日に出願の英国特許出願Ｎｏ．１１００１３７．７、タイトル「流体で充填されたチューブの狭化を評価する機器及び方法」に説明され、これがその全体において参照により本明細書に組み込まれる。
【００３６】
一般的には、本開示に係る充血剤の不使用での狭窄に亘る差分の圧力の評価のための診断窓が、近位圧力測定値、遠位圧力測定値、近位速度測定値、遠位速度測定値、ECG波形、及び／又は他の識別可能及び／又は測定可能な管特性の態様の１以上の特徴及び／又は要素に基づいて識別される。この点に関しては、様々な信号処理及び／又はコンピューター技術が、適切な診断窓を識別するため、近位圧力測定値、遠位圧力測定値、近位速度測定値、遠位速度測定値、ECG波形、及び／又は他の識別可能及び／又は測定可能な管特性の態様の１以上の特徴及び／又は要素に適用可能である。
【００３７】
幾つかの実施形態においては、診断窓の決定及び／又は圧力差の計算が、およそリアルタイム又はライブで実行され、セクション２１２を識別し、また圧力比を計算する。この点に関しては、本開示の内容の範囲内では「リアルタイム」又は「ライブ」での圧力比の計算が、データ取得の１０秒内で発生する計算を包含するものと理解される。しかしながら、たびたび、「リアルタイム」又は「ライブ」計算が、データ取得の１秒内で行われるものと理解される。幾つかの場合においては、「リアルタイム」又は「ライブ」計算が、データ取得と同時に行われる。幾つかの場合においては、計算が、データ取得の間の遅滞においてはプロセッサにより実行される。例えば、もしデータが５ｍｓ毎１ｍｓで圧力検出装置から取得されるならば、データ取得の間の４ｍｓにおいてプロセッサが計算を行うことができる。これらのタイミングは単なる例示であり、データ取得速度、処理回数、及び／又は計算に関する他のパラメーターが変更するものと理解される。他の実施形態においては、圧力比の計算が、データ取得の後、１０秒以上で実行される。例えば、幾つかの実施形態においては、診断窓の識別及び／又は圧力比の計算のために用いられるデータが、後の分析のために記憶される。
【００３８】
ここで図９乃至１１を参照すると、本開示の別の実施形態の側面を示す診断情報のグラフ表示が図示される。この点に関しては、図９は、管内で測定された圧力及び速度のグラフ表示である；図１０は、図９の測定された速度の差分のグラフ表示である；及び図１１は、本開示の実施形態に係る診断窓の識別のために注釈された管内で測定された圧力及び速度のグラフ表示である。
【００３９】
図９をより詳細に参照すると、グラフ表示２２０が、一の心周期の時間範囲に亘る管内の圧力（ｍｍＨｇで測定される）を代表するプロット２２２及び同じ心周期に亘る管内の流体の速度（ｍ／ｓで測定される）を代表するプロット２２４を含む。図１０は、同様に、図９のグラフ表示２２０の速度プロット２２４の差分のグラフ表示２３０である。この点に関しては、幾つかの場合においては、速度（ｄＵ）の差分又は変化の速度が、次のように計算される。
【数１】
2014529442.tif 000003
Ｕxが時間ｘでの速度であり、Ｕyが時間ｙでの速度であり、またｔが、Ｕx及びＵyの間の所用時間である。幾つかの場合においては、不定のｔが、システムの速度測定値のサンプル速度に等しく、全データポイントに対して差分が計算される。他の場合においては、不定のｔが、システムの速度測定値のサンプル速度よりも長く、取得したデータポイントのサブセットのみが利用される。
【００４０】
図１０に示すように、約６２５ｍｓから約１０００ｍｓに亘る時間範囲２３２においては、速度プロット２２４の差分が、約ゼロで相対的に安定である。換言すれば、管内の流体の速度及び／又は管抵抗が、時間範囲２３２にて相対的に一定である。幾つかの場合においては、速度が、−０．０１及び＋０．０１の間で変動するときに安定であると理解され、また幾つかの特定の場合においては、約−０．００５と約＋０．００５の間で変動するときに安定であると理解される。しかしながら、他の場合においては、速度が、これらの範囲の外の値で安定であると理解される。同様に、約２００ｍｓから約３５０ｍｓに亘る時間範囲２３４においては、速度プロット２２４の差分が、時間範囲２３４にても約ゼロで相対的に安定であり、管内の流体の速度が実質的に一定であることを意味する。しかしながら、心臓弁膜疾患、心室内での同期不全(dyssynchrony)、部分的な心筋の収縮差、微小循環系疾患の全てが時間範囲２３４のタイミングの大きな変動につながるため、時間範囲２３４が、非常に不定になり得る、以下で説明のように、本開示の幾つかの実施形態においては、時間範囲２３２及び／又は２３４の全部又は一部が、狭窄に亘る圧力比の評価のための診断窓として用いられる。この点に関しては、診断窓が、速度（つまり、ｄＵ）の変化が約ゼロで振幅する時間範囲に対応する心周期の部分を識別することにより選択される。図１１は、図１０の時間範囲２３２に対応する診断窓２３６の識別のために参酌された図９のグラフ表示２２０を示す。他の場合においては、診断窓は、速度（つまり、ｄＵ）の変化が心周期の過程で速度（つまり、ｄＵmax）の最大変化と比較して相対的に小さい期間に対応する心周期の部分を識別することにより選択される。図１０に図示の実施形態においては、速度の最大変化（つまり、ｄＵmax）がポイント２３５で発生する。幾つかの場合においては、診断窓は、速度（つまり、ｄＵ）の変化が心周期の速度の最大変化（つまり、ｄＵmax）の２５％未満、２０％未満、１５％未満、１０％未満、及び／又は５％未満の心周期の部分(群)の識別により選択される。
【００４１】
速度変化が相対的に一定であり、平均、最小閾値オフセットからの変動又は標準偏差又は他のものといった約ゼロである時間範囲２３２、時間範囲２３４、及び／又は他の時間範囲の識別のために利用できる様々な信号処理技術がある。更には、速度測定の差分を用いて時間範囲２３２及び２３４が識別されたが、他の場合においては、速度測定の第１、第２、及び／又は第３微分係数が利用される。例えば、速度の第１微分係数が相対的に一定であり、約ゼロである心周期の間での時間範囲の識別により、速度が相対的に一定である時間範囲の位置確認が許容される。更には、速度の第２微分係数が相対的に一定であり、また約ゼロである心周期過程での時間範囲の識別により、加速度が相対的に一定であり、また約ゼロ(必ずしもゼロである必要はない)である時間範囲の位置確認が許容される。
【００４２】
速度の変化が相対的に一定であり、また約ゼロである(つまり、流体の流れのスピードが安定である)時間範囲２３２、２３４、及び／又は他の時間範囲は、本開示に係る充血剤の不使用での管の狭窄に亘る圧力差の評価のために適切な診断窓である。この点に関しては、流体の流れのシステムで、別々の前及び後方の圧力が、次のように定義される:
【数２】
2014529442.tif 000004
及び
【数３】
2014529442.tif 000005
ここで、ｄＰが、圧力の差分であり、ρが、管内での流体の密度であり、ｃが、波速度であり、及びｄＵが流速の差分である。しかしながら、流体の流速が実質的に一定である場合、ｄＵが約ゼロであり、別々の前及び後方の圧力が、次のように定義される:
【数４】
2014529442.tif 000006
及び
【数５】
2014529442.tif 000007
【００４３】
換言すれば、ｄＵが約ゼロである時間範囲の間、前及び後方の圧力が、単に圧力の変化により規定される。従って、そのような時間範囲において、管の狭窄の重大性が、狭窄の近位及び遠位で取られた圧力測定値に基づいて評価される。この点に関しては、前及び／又は後方の狭窄の近位の圧力に対する前及び／又は後方の狭窄の遠位の圧力の比較により、狭窄の重大性の評価が可能である。例えば、前方の圧力差が、
【数６】
2014529442.tif 000008
のように計算可能であり、他方、後方の圧力差が、
【数７】
2014529442.tif 000009
として計算可能である。
【００４４】
冠状動脈との関連においては、幾つかの場合においては、前方の圧力差が狭窄の評価に用いられる。この点に関しては、幾つかの場合においては、前方の圧力差が、近位に由来する(つまり、大動脈から由来する)別々の前方の圧力波及び／又は大動脈の遠位の導管構造からの近位に由来する別々の前方の圧力波の反射に基づいて計算される。他の場合においては、後方の圧力差が、冠状動脈との関係において狭窄の評価のために用いられる。この点に関しては、後方の圧力差が、遠位に由来する(つまり、微小循環系から由来する)別々の後方の圧力波及び／又は微小循環系の近位の管構造からの遠位に由来する別々の後方の圧力波の反射に基づいて計算される。
【００４５】
また別の場合においては、圧力波が、機器又は医療装置により管内に導入される。この点に関しては、機器又は医療装置が、狭窄の重大性の評価のために用いられる近位由来の前側圧力波、遠位由来の後ろ側の圧力波、及び／又はこれらの組み合わせの生成のために利用される。例えば、幾つかの実施形態においては、変位可能な膜を有する機器が、管内に配置される。次に、機器の変位可能な膜が作動され、膜の移動が生じて管の流体に対応の圧力波を生じさせる。機器の構成、管内の膜の位置、及び／又は管内の膜の配向に基づいて、生成された圧力波(群)が、遠位、近位、及び／又は両方に向けられる。次に、生じた圧力波(群)に基づく圧力測定値が分析されて狭窄の重大性が決定される。
【００４６】
ここで図１２乃至１５を参照すると、本開示の別の実施形態の側面を図示する診断情報のグラフ表示が図示される。この点に関しては、図１２が、管内の波形強度のグラフ表示である；図１３が、図１２の波形強度に対応する管内の近位及び遠位起因圧力波形のグラフ表示である；図１４が、図１２の波形強度及び図１３の近位及び遠位起因圧力波形に対応する管内の圧力及び速度のグラフ表示である；及び図１５が、図１２の波形強度、図１３の近位及び遠位起因圧力波形、及び図１４の圧力及び速度に対応する管内の抵抗のグラフ表示である。
【００４７】
図１２をより詳細に参照すると、ある期間に亘る心周期の近位及び遠位に由来の波に関連する強度をプロットしたグラフ表示２４０が図示される。この点に関しては、プロット２４２が、近位に由来の波を示し、他方、プロット２４４が、遠位に由来の波を示す。開示のように、６つの優位の波形が患者の心周期に関連する。心周期の過程での発生の順で、波形２４６が、後方に伝搬する押圧波であり、波形２４８が、優勢の前方に伝搬する押圧波であり、波形２５０が、後方に伝搬する押圧波であり、波形２５２が、前方に伝搬する吸引波であり、波形２５４が、優勢な後方へ伝搬する吸引波であり、波形２５６が、前方へ伝搬する押圧波である。注目すべきは、心周期の後半の時間範囲２５８では何ら波形が生成されていない。幾つかの場合においては、時間範囲２５８が、心周期の波形無し期間として言及される。冠状動脈との関係において、圧力波に関する追加の詳細が、「左側心室肥大で弱められるヒトにおける心拡張の冠状動脈の栓につながる優位な後方伝搬「吸引」波の証拠」、Davies 等（Circulation．２００６；１１３:１７６８−１７７８）に見ることができ、これがその全体において参照により本明細書に組み込まれる。
【００４８】
ここで図１３を参照すると、心周期に関連の時間範囲に亘る管内の近位及び遠位起因圧力波形のグラフ表示２６０が図示される。この点に関しては、図１３の圧力波が、図１２の波強度に対応する。開示のように、グラフ表示２６０が、近位由来の圧力を示すプロット２６２、遠位由来の圧力を示すプロット２６４、及び全圧力（近位由来の圧力＋遠位由来の圧力）を示すプロット２６５を含む。
【００４９】
ここで図１４を参照すると、ある期間に亘る管内の圧力(ｍｍＨｇで測定)を示すプロット２７２及びある期間に亘る管内の流体の速度（ｃｍ／ｓで測定）を示すプロット２７４を含むグラフ表示２７０が示される。この点に関しては、図１４の圧力及び速度プロット２７２、２７４が、各々、図１２及び１３の波強度及び圧力波に対応する。開示のように、約４７５ｍｓから約６７５ｍｓに亘る波無し時間範囲２５８にとっては、圧力プロット２７２及び速度プロット２７４のスロープが、相対的に一定である。この時点では、図１５に示すように、管内の抵抗が、相対的に一定であり、時間範囲２５８の間に減じられる。この点に関しては、図１５のグラフ表示２８０が、心周期のある時間に亘る管内の抵抗のプロット２８２を含む。この点に関しては、グラフ表示２８０の抵抗値は、抵抗が心周期に沿う時間の特定のポイントで速度で除算した圧力に等しい、図１４の圧力及び速度測定値を用いて計算される。時間範囲２５８の間の減じられた相対的に一定の抵抗のために、本開示の幾つかの実施形態においては、時間範囲２５８の全又は一部が、狭窄に亘る圧力差の評価のための診断窓としての使用に適切である。この点に関しては、幾つかの実施形態においては診断窓が、心周期の最後の僅か前に経過する後方伝搬吸引波形の終端の波形無し期間に対応する最小抵抗の期間である。
【００５０】
ここで図１６〜２６を参照すると、本開示に係る診断窓のための開始及び／又は終了時点のための手法の様々なグラフ表示が図示される。この点に関しては、図１６〜１８は、概して、近位圧力測定値に基づく診断窓の始点の識別を図示する；図１９〜２２は、概して、遠位圧力測定値に基づく診断窓の始点の識別を図示する；図２３は、診断窓の始点に基づく診断窓の終点の識別を図示する；図２４は、近位圧力測定値に基づく診断窓の終点の識別を図示する；及び図２５及び２６は、遠位圧力測定値に基づく診断窓の終点の識別を図示する。
【００５１】
図１６に示すように、グラフ表示３００が、近位圧力記録３０２及び遠位圧力記録３０４を含み、各々が、心周期に対する期間に亘りプロットされる。この点に関しては、近位圧力記録３０２が、管の狭窄の近位の圧力を示す。幾つかの場合においては、近位圧力記録３０２が、(例えば、前で生じた又は後で生じた）部分圧に基づく。同様に、遠位圧力記録３０４が、狭窄の遠位の圧力を示す。遠位圧力記録３０４が、幾つかの場合においては、(例えば、前で生じた又は後で生じた）部分圧に基づく。
【００５２】
簡潔及び一貫性のため、図１６の近位及び遠位圧力記録３０２及び３０４が、図１７乃至２８に関連の手法の説明にも同様に利用される。しかしながら、全ての開示の手法に関して近位及び遠位圧力記録３０２及び３０４が例示であり、如何なる方法においても限定と理解されるべきではない。この点に関しては、圧力記録が、患者間で、また同一の患者の心周期の間においてさえも変更するものと理解される。従って、これらの圧力記録に基づく診断窓の識別のための本明細書に記述の手法が、多様な圧力記録プロットの使用に適切であるものと理解される。更には、幾つかの場合においては、以下で説明の手法が、複数の心周期に亘り計算又は決定されるものと理解される。例えば、幾つかの実施形態においては、複数の心周期に亘り計算し、また平均値を計算し、複数の心周期に共通の重複領域を識別し、及び／又は他の方法で診断窓のための適切な時間範囲を識別することにより診断窓が識別される。また更には、以下で説明の２以上の手法が一緒に用いられ、始点、終点、及び／又は診断窓の他の側面を識別する。
【００５３】
図１６〜１８を参照すると、近位圧力測定値に基づく診断窓の始点の識別のための幾つかの手法が図示される。より詳細に図１６を参照すると、幾つかの場合においては、診断窓の始点が、重拍ノッチの識別及び固定量の時間の追加により決定される。図１６に示すように、重拍ノッチ３０６が識別され、固定時間範囲３０８が追加され、診断窓の始点３１０が決定される。幾つかの場合においては、固定時間範囲３０８が、約１ｍｓと約５００ｍｓの間である。幾つかの特定の場合においては、時間範囲３０８が、約２５ｍｓと約１５０ｍｓの間である。他の場合においては、心拡張の開始に加えられる時間量が、心周期のパーセント又は心拡張の長さのパーセントに基づいて選択される。例えば、幾つかの場合においては、加えられる時間量が、心周期の長さの約０％と約７０％の間である。また他の場合、重拍ノッチに時間が加えられず、重拍ノッチ３０６が始点３１０になる。
【００５４】
別の実施形態においては、心拡張の開始が、近位圧力測定値に基づいて識別され、また固定時間範囲が加えられて診断窓の始点が決定される。固定時間範囲が、約１ｍｓと約５００ｍｓの間である。幾つかの特定の実施形態においては、固定時間範囲が、心拡張の開始と診断窓の開始の間であり、約２５ｍｓと約２００ｍｓの間である。他の場合においては、心拡張の開始に加えられる時間量が、心周期のパーセント又は心拡張の長さのパーセントに基づいて選択される。例えば、幾つかの場合においては、心拡張の開始に加えられる時間が、心周期の約０％と約７０％の間である。他の場合においては、心拡張の開始に加えられる時間が、心周期の心拡張部分の全長の約０％と約１００％の間である。幾つかの場合においては、心拡張の開始に加えられる時間が、心周期の心拡張部分の全長の約２％と約７５％の間である。また他の場合、心拡張の開始に時間が加えられず、心拡張の開始が診断窓の始点でもある。
【００５５】
ここで図１７を参照すると、幾つかの場合においては、診断窓の始点が、ピーク近位圧力を識別して固定量の時間を追加することにより決定される。図１７のグラフ表示３１２に示すように、ピーク圧力３１４が識別されており、また固定時間範囲３１６が加えられており、診断窓の始点３１８が決定される。固定時間範囲３１６が、幾つかの場合においては、約１ｍｓと約５５０ｍｓの間である。幾つかの場合においては、固定時間範囲３１６が、約２５ｍｓと約１７５ｍｓの間である。他の場合においては、ピーク近位圧力に加えられる時間量が、心周期のパーセント又は心拡張の長さのパーセントに基づいて選択される。例えば、幾つかの場合においては、加えられる時間量が、心周期の長さの約０％と約７０％の間である。また他の場合においては、ピーク近位圧力に時間が加えられず、ピーク圧力３１４が始点３１８である。
【００５６】
ここで図１８を参照すると、幾つかの場合においては、診断窓の始点が、心周期の開始を識別し、また固定量の時間を加えることにより決定される。図１８のグラフ表示３２０に示すように、心周期の開始３２２が識別されており、また固定時間範囲３２４が加えられ、診断窓の始点３２６が決定される。固定時間範囲３２４が、幾つかの場合においては、約１５０ｍｓと約９００ｍｓの間である。幾つかの場合においては、固定時間範囲３２４が、約３００ｍｓと約６００ｍｓの間である。幾つかの特定の実施形態においては、固定時間範囲３２４が、患者の心周期の長さ３２８のパーセントとして計算される。図１８に示すように、心周期の長さ３２８が、開始３２２と終了３３０の間に亘るように、心周期の終点３３０が識別される。幾つかの場合においては、始点３５６の計算のために用いられる心周期の長さ３２８のパーセントが、約２５％と約９５％の間である。幾つかの場合においては、心周期の長さ３２８のパーセントが、約４０％と約７５％の間である。また他の場合、心周期の開始に時間が加えられず、心周期３２２の開始が始点３２６である。
【００５７】
ここで図１９乃至２２を参照すると、遠位圧力測定値に基づいて診断窓の始点を識別するための幾つかの手法が図示される。より詳細に図１９を参照すると、幾つかの場合においては、診断窓の始点が、重拍ノッチを識別し、また固定量の時間を追加することにより決定される。図１９のグラフ表示３３２に示すように、重拍ノッチ３３４が識別され、また固定時間範囲３３６が追加され、診断窓の始点３３８が決定される。幾つかの場合においては、固定時間範囲３３６が、約１ｍｓと約５００ｍｓの間である。幾つかの場合においては、固定時間範囲３３６が、約２５ｍｓと約１５０ｍｓの間である。他の場合においては、ピーク圧力３３９が、遠位圧力測定値に基づいて識別され、また固定時間範囲が加えられて診断窓の始点を決定する。ピーク圧力に対する固定時間範囲が、幾つかの場合においては、約１ｍｓと約５５０ｍｓの間である。幾つかの場合においては、固定時間範囲が、約２５ｍｓと約１７５ｍｓの間である。また他の場合においては、重拍ノッチに時間が加えられず、重拍ノッチ３３４が、始点３３８である。
【００５８】
別の実施形態においては、心拡張の開始が、遠位圧力測定値に基づいて識別され、また固定時間範囲が加えられ、診断窓の始点が決定される。固定時間範囲が、約１ｍｓと約５００ｍｓの間である。幾つかの特定の実施形態においては、心拡張の開始と診断窓の開始の間の固定時間範囲が、約２５ｍｓと約２００ｍｓの間である。他の場合においては、心拡張の開始に追加される時間量が、心周期のパーセント又は心拡張の長さのパーセントに基づいて選択される。例えば、幾つかの場合においては、心拡張の開始に加えられる時間が、心周期の約０％と約７０％の間である。他の場合においては、心拡張の開始に追加される時間が、心周期の心拡張部分の全長の約０％と約１００％の間である。幾つかの場合においては、心拡張の開始に追加される時間が、心周期の心拡張部分の全長の約２％と約７５％の間である。また他の場合においては、心拡張の開始に時間が追加されず、心拡張の開始が、診断窓の始点である。
【００５９】
ここで図２０を参照すると、幾つかの場合においては、診断窓の始点が、圧力の最大変化を識別し、また固定量の時間を追加することにより決定される。幾つかの特定の場合においては、ピーク遠位圧力後の圧力の最大変化が、そこから固定量の時間が加えられる基準点として利用される。図２０のグラフ表示３４０に示すように、ピーク圧力３４２の後、圧力の最大変化（つまり、ｄＰ／ｄｔ）を有する点が、ポイント３４４により識別される。固定時間範囲３４６がポイント３４４に加えられ、診断窓の始点３４８が決定される。固定時間範囲３４６が、幾つかの場合においては約１ｍｓと約５００ｍｓの間である。幾つかの場合においては、固定時間範囲３４６が、約２５ｍｓと約１５０ｍｓの間である。幾つかの特定の実施形態においては、固定時間範囲３４６が、患者の心周期の長さのパーセントとして計算される。始点３４８の計算に用いられる心周期の長さのパーセントが、幾つかの場合においては、約０％と約７０％の間である。また他の場合、圧力の最大変化を示すポイント３４４に時間が追加されず、ポイント３４４が、始点３４８である。
【００６０】
ここで図２１を参照すると、幾つかの場合においては、診断窓の始点が、心周期の開始を識別し、また固定量の時間を追加することによりにより決定される。図２１のグラフ表示３５０に示すように、心周期の開始３５２が識別され、また固定時間範囲３５４が加えられ、診断窓の始点３５６が決定される。固定時間範囲３５４が、幾つかの場合においては約１５０ｍｓと約９００ｍｓの間である。幾つかの場合においては、固定時間範囲３５４が、約３００ｍｓと約６００ｍｓの間である。幾つかの特定の実施形態においては、固定時間範囲３５４が、患者の心周期の長さ３５８のパーセントとして計算される。図２１に示すように、心周期の長さ３５８が開始３５２と終わり３６０の間に亘るように、心周期の終わり３６０が識別される。始点３５６の計算のために利用される心周期の長さ３５８のパーセントが、幾つかの場合においては、約２５％と約９５％の間である。幾つかの特定の場合においては、心周期の長さ３５８のパーセントが、約４０％と約７５％の間である。また他の場合においては、心周期の開始に時間が加えられず、心周期３５２の開始が始点３５６である。
【００６１】
ここで図２２を参照すると、幾つかの場合においては、診断窓の始点が、心室化点を識別することにより決定される。図２２のグラフ表示３６２に示すように、心周期の心室化点３６４が識別される。幾つかの場合においては、心室化点３６４が、遠位圧力記録のスロープにおける変化に基づいて識別される。図示の実施形態においては、診断窓の始点３６６が、実質的に心室化点３６４に合致する。他の場合においては、始点３６６が、心室化点の前又は後の固定量の時間にセットされる。この点に関しては、固定時間範囲が、幾つかの場合においては約−２５０ｍｓと約４００ｍｓの間である。幾つかの場合においては、固定時間範囲が、約−５０ｍｓと約１００ｍｓの間である。
【００６２】
ここで図２３を参照すると、診断窓の始点３７２に基づいて診断窓の終点を識別するための手法を図示するグラフ表示３７０が図示される。開示のように、診断窓が、固定量の時間３７６だけ始点３７２から離間した終点３７４を有する。固定時間範囲３７６が、幾つかの場合においては、約１ｍｓと約７００ｍｓの間である。幾つかの場合においては、固定時間範囲３７６が、約２００ｍｓと約５００ｍｓの間である。幾つかの特定の実施形態においては、固定時間範囲３７６が、患者の心周期の長さのパーセントとして計算される。時間範囲３７６を計算するために用いられる心周期の長さのパーセントが、幾つかの場合においては、約０％と約７０％の間である。幾つかの場合においては、心周期の長さのパーセントが、約２５％と約５０％の間である。他の場合においては、診断窓が、心周期の特定のポイントであり、時間３７６が、ゼロである。この点に関しては、診断窓の始点及び／又は終点を識別するために説明された手法が、圧力差の評価のために心周期のそのような診断ポイントの識別に適切である。幾つかの場合においては、単一心周期の診断窓が、単一心周期に沿う複数の固有の診断ポイントから構成される。
【００６３】
ここで図２４を参照すると、近位圧力測定値に応じた心周期の終わりの識別に基づいて診断窓の終点を識別するための手法を図示するグラフ表示３８０が図示され、幾つかの場合においては大動脈圧力測定値であり、固定量の時間を減算する。開示のように、心周期の終わり３８２が識別され、また固定時間範囲３８４が減じられ、診断窓の終点３８６が決定される。固定時間範囲３８４が、幾つかの場合においては、約１ｍｓと約６００ｍｓの間である。幾つかの特定の実施形態においては、固定時間範囲３８４が、患者の心周期の長さのパーセントとして計算される。時間範囲３８４を計算するために用いられる心周期の長さのパーセントが、幾つかの場合においては、約０％と約７０％の間である。幾つかの場合においては、心周期の長さのパーセントが、約１％と約２５％の間である。また他の場合においては、心周期の終わりから時間が減算されず、心周期３８２の終わりが、終点３８６である。
【００６４】
ここで図２５及び２６を参照すると、遠位圧力測定値に基づいて診断窓の終点を識別するための手法が図示される。図２５をより詳細に参照すると、遠位圧力測定値に応じて心周期の終わりを識別し、また固定量の時間を減算することに基づいて診断窓の終点を識別するための手法を図示するグラフ表示３９０が図示される。開示のように、周期の終わり３９２が識別され、また固定時間範囲３９４が減じられ、診断窓の終点３９６が決定される。固定時間範囲３９４が、約１ｍｓと約６００ｍｓの間である。幾つかの場合においては、固定時間範囲３９４が、約５ｍｓと約１００ｍｓの間である。幾つかの特定の実施形態においては、固定時間範囲３９４が、患者の心周期の長さのパーセントとして計算される。時間範囲３９４を計算するために用いられる心周期の長さのパーセントが、約０％と約７０％の間である。幾つかの場合においては、心周期の長さのパーセントが、約１％と約２５％の間である。また他の場合においては、前記心周期の終わりから時間が減算されず、心周期３９２の終わりが、終点３９６である。
【００６５】
図２６を参照すると、遠位圧力測定値の心室化点の識別に基づいて診断窓の終わりを識別するための手法を図示するグラフ表示４００が図示される。開示のように、心周期の心室化点４０２が識別される。幾つかの場合においては、心室化点４０２が、遠位圧力記録のスロープの変化に基づいて識別される。図示の実施形態においては、診断窓の終点４０４が、実質的に心室化点４０２に合致する。他の場合においては、終点４０４が、心室化点の前又は後で固定量の時間にセットされる。この点に関しては、固定時間範囲が、約−２００ｍｓと約４５０ｍｓの間である。幾つかの場合においては、固定時間範囲が、約−５０ｍｓと約１００ｍｓの間である。
【００６６】
ここで図２７及び２８を参照すると、近位及び遠位圧力測定値に対する例示の診断窓のグラフ表示が図示される。この点に関しては、図２７が、心室化の直後に開始する診断窓を図示し、他方、図２８が、心室化の前に始まる診断窓を図示する。図２７をより詳細に参照すると、グラフ表示４１０が、始点４１４及び終点４１６を含む診断窓４１２を示す。幾つかの場合においては、始点４１４が、診断窓の始点を識別するために上述した１以上の手法を用いて選択される。同様に、幾つかの場合においては、終点４１６が、診断窓の終点を識別するために上述した１以上の手法を用いて選択される。開示のように、診断窓４１２が、遠位圧力記録３０４の心室化点の後に始まり、また心周期の終わりの前に終わる。
【００６７】
ここで図２８を参照すると、グラフ表示４２０が、始点４２４及び終点４２６を含む診断窓４２２を示す。幾つかの場合においては、始点４２４が、診断窓の始点を識別するために上述した１以上の手法を用いて選択される。同様に、幾つかの場合においては、終点４２６が、診断窓の終点を識別するために上述した１以上の手法を用いて選択される。開示のように、診断窓４２２が前記遠位圧力記録３０４の心室化点の前に始まり、また心周期の終わりの前に終わり、心室化点が診断窓４２２内に含まれる。
【００６８】
ここで図２９を参照すると、本開示の実施形態に係る例示の診断窓により注釈されたＥＣＧ信号のグラフ表示が図示される。概して、ＥＣＧ信号の少なくとも一つの識別可能な特徴（限定の意図を有することなく、Ｐ波の開始、Ｐ波のピーク、Ｐ波の終わり、ＰＲインターバル、ＰＲセグメント、ＱＲＳコンプレックスの開始、Ｒ波の開始、Ｒ波のピーク、Ｒ波の終わり、ＱＲＳコンプレックスの終わり（J−ポイント）、ＳＴセグメント、Ｔ波の開始、Ｔ波のピーク、及びＴ波の終わりが含まれる）が、診断窓のその始点及び／又は終点の選択に用いられる。例えば、幾つかの場合においては、診断窓が、Ｔ波の減少を始点とし、またＲ波の開始を終点として用いて識別される。幾つかの場合においては、診断窓の始点及び／又は終点が、固定量の時間をＥＣＧ信号の識別可能な特徴に追加することにより決定される。この点に関しては、幾つかの場合においては、規定時間の範囲が心周期のパーセントである。
【００６９】
ここで図３０を参照すると、一連の患者の心周期に亘る近位圧力４５２及び遠位圧力４５４のグラフ表示４５０が図示される。この点に関しては、心周期４６２において始点４５８及び終点４６０を含む診断窓４５６が識別される。診断窓４５６が、始点４５８及び終点４６０により規定される。図示の実施形態においては、始点４５８が、圧力の最大の減少の後、心周期４６２の全心拡張時間の固定パーセントに位置づけられるように選択される。幾つかの場合においては、始点４５８を決定するために最大圧力低下点に加えられる全心拡張時間の固定パーセントが、約１０％と約６０％の間であり、幾つかの特定の実施形態では約２０％と約３０％の間のパーセントを有し、またある特定の実施形態では約２５％のパーセントを有する。終点５６０が、心周期４６２の心拡張の開始から全心拡張時間又は診断窓の固定パーセントに位置づけられるように選択される。幾つかの場合においては、終点４６０の決定のために心拡張の開始に加えられる全心拡張時間の固定パーセントが、約４０％と約９０％の間であり、幾つかの特定の実施形態では、約６０％と約８０％の間のパーセントを有し、またある特定の実施形態では約７０％のパーセントを有する。他の実施形態においては、終点５６０が、心周期４６２の心拡張の終わりから全心拡張時間又は診断窓の固定パーセントに位置づけられるように選択される。幾つかの場合においては、終点４６０を決定するために心拡張の終わりから減じられる全心拡張時間の固定パーセントが、約１０％と約６０％の間であり、幾つかの特定の実施形では約２０％と約４０％の間であり、またある特定の実施形態では約３０％のパーセントを有する。従って、図示の実施形態においては、始点４５８及び終点４６０の両方が、心周期４６２の心拡張の比率に基づいて選択される。結果として、複数の心周期のためのそのような手法を用いて規定された診断窓が、心周期間で変動する。なぜなら、心拡張の長さが心周期間で変動するためである。図３０に示すように、心周期４６２に続く心周期４７２にて始点４６８及び終点４７０を含む診断窓４６６が識別される。結果として、幾つかの場合においては、心周期４６２及び心周期４７２間の心拡張の長さの差異のために、診断窓４６６が、診断窓４５６よりも長く、若しくは短い。
【００７０】
適切な診断窓を選択するための特定の手法の例を上述したが、これらが例示であり、他の手法が利用できるものと理解される。この点に関しては、診断窓が、次から選択される１以上の手法を用いて決定されるものと理解される:波形の特徴又は他のデータ特徴を識別し、また識別された特徴に対して始点を（例えば、特徴の前、後、又は同時に）選択する；波形の特徴又は他のデータ特徴を識別し、また識別された特徴に対して終点を（例えば、特徴の前、後、又は同時に）選択する；波形の特徴又は他のデータ特徴を識別し、また識別された特徴に対して始点及び終点を選択する；始点を識別し、また始点に基づいて終点を識別する；及び終点を識別し、また終点に基づいて始点を識別する。更には、幾つかの実施形態においては、近位及び遠位圧力測定値の各々に対して、分離した及び／又は異なる診断窓が選択され、利用されるものと理解される。従って、幾つかの場合においては、近位圧力測定値の診断窓が、遠位圧力測定値の診断窓とは異なる始点、終点、及び／又は持続期間を有する。
【００７１】
幾つかの場合においては、最大診断窓の始点及び／又は終点が(例えば、上述した１以上の手法を用いて)識別され、次にその最大診断窓の部分が、狭窄に亘る圧力差の評価のための使用に選択される。例えば、幾つかの実施形態においては、使用のために選択された部分が、最大診断窓のパーセントである。幾つかの特定の実施形態においては、部分が、最大診断窓の約５％と約９９％の間である。更には、幾つかの場合においては、使用のために選択された部分が、最大診断窓の中央部分である。例えば、もし最大診断窓が心周期の５００ｍｓから９００ｍｓに亘ると見いだされ、最大診断窓の５０％を備える中央部分が選択部分として利用されるとき、選択部分が心周期の６００ｍｓから８００ｍｓの時間に対応するだろう。他の場合においては、使用のために選択された部分が、最大診断窓の非中央部分である。例えば、もし最大診断窓が心周期の５００ｍｓから９００ｍｓに亘ると見いだされ、最大ウィンドウの中間ポイントから等しく離間した最大診断窓の２５％を含む非中央部分及び最大ウィンドウの終点が選択部分として利用されるならば、選択部分が、心周期の７００ｍｓから８００ｍｓの時間に対応するだろう。幾つかの場合においては、診断窓が、各心周期のために選択され、診断窓の場所及び／又はサイズが、サイクル間で変動する。この点に関しては、心周期の間で診断窓の開始、終わり、及び／又は持続期間を選択するために用いられるパラメーター(群)の変動に起因し、幾つかの場合においては、診断窓に対応の相違が生じる。
【００７２】
ここで図３１及び３２を参照すると、本開示の実施形態に係る狭窄に亘る圧力比を計算するための態様が図示される。この点に関しては、図３１が、近位及び遠位圧力測定値に対する診断窓を図示し、他方、図３２が、近位圧力測定値に対する遠位圧力測定値の一時的な調整を図示する。
【００７３】
ここで図３１をより詳細に参照すると、患者の心周期に亘る近位圧力５０２及び遠位圧力５０４のグラフ表示５００が図示される。この点に関しては、始点５０８及び終点５１０を含む診断窓５０６が識別される。診断窓５０６が、充血剤の不使用の管の狭窄の重大性の評価のために適切である。この点に関しては、診断窓５０６、始点５０８、及び／又は終点５１０が、幾つかの場合においては、上述の１以上の手法を用いて計算される。開示のように、近位圧力５０２が、診断窓５０６に合致する部分５１２を含む。遠位圧力５０４が、診断窓５０６に合致する部分５１４を含む。
【００７４】
ここで図３２を参照すると、様々な理由から、幾つかの場合においては、近位圧力５０２及び遠位圧力５０４が時間的に整列(アライメント)されていない。例えば、測定値を得るために用いられる機器(群)の間の差異に対処するハードウェア信号に起因して、データ取得の間、遠位圧力測定値信号及び近位圧力測定値信号の間には遅延が度々生じる。この点に関しては、差異が、物理的ソース(例えば、ケーブル長さ及び／又は変動する電子機器)から起因し、及び／又は信号処理(例えば、フィルタリング技術)の相違に起因し得る。幾つかの実施形態においては、近位圧力測定値信号が、血流力学モニタリングシステムにより取得され、またそれを介して伝送され、また、処理ハードウェア又は計算装置により直接的に送信される遠位圧力測定値信号と比較して、処理ハードウェア又は計算装置に伝達するのに相当に長い時間がかかりうる。結果として生じる遅延が、幾つかの場合においては、約５ｍｓと約１５０ｍｓの間である。個別の心周期が、約５００ｍｓと約１０００ｍｓの間持続し、また診断窓が心周期の全長の僅かなパーセントであり得るため、近位及び遠位圧力測定値信号の間の長い遅延が、所望の心周期の診断窓のために圧力差を計算するための圧力データの整列に顕著な影響を有し得る。
【００７５】
結果として、幾つかの場合においては、圧力測定値を時間的に整列させるために、近位及び遠位圧力の一方を遠位及び近位圧力の他方に対してシフトすることが必要である。図３２の図示の実施形態においては、遠位圧力５０４の部分が、診断窓５０６に合致する近位圧力５０２の部分５１２に時間的に整列するようにシフトされている。この点に関しては、矢印５１８により示唆されるように、遠位圧力５０４の部分５１６がシフトされており、近位圧力５０２の部分５１２に整列される。図３２が、遠位圧力５０４の部分のみの近位圧力との整列へのシフトを図示するが、他の実施形態においては、選択された診断窓に対応する部分が識別される前、全部又は実質的に全部の近位及び遠位圧力が整列される。
【００７６】
近位及び遠位圧力の全部又は部分（群）の整列が、幾つかの場合においては、ハードウェアアプローチを用いて達成される。例えば、１以上のハードウェア部品が、近位圧力測定値、遠位圧力測定値、及び／又は両方の通信路内に配置され、任意の必要な遅延を提供し、受信した圧力信号を時間的に整列させる。他の場合においては、近位及び遠位圧力の全部又は部分（群）の整列が、ソフトウェアアプローチを用いて達成される。例えば、幾つかの実施形態においては、相互相関関数又はマッチング技術が、心周期の整列のために用いられる。他の実施形態においては、整列が、特定の識別可能な心周期の特徴、例えば、ＥＣＧ Ｒ波又は圧力ピークに基づく。加えて、幾つかの実施形態においては、整列がソフトウェアユーザーにより実行され、ここでは、ユーザーに心周期が視覚的に整列されるまで近位及び遠位圧力の少なくとも一つの遅延時間に対して調整が為される。更には、信号の整列の技術が、信号取得のポイントで同期したタイムスタンプを付与する。更には、幾つかの場合においては、１以上のハードウェア、ソフトウェア、ユーザー、及び／又は時間−スタンプアプローチの１以上の組み合わせが信号の整列に用いられる。
【００７７】
実施の態様に関わらず、近位及び遠位圧力測定値信号の整列のために幾つかのアプローチが利用可能である。幾つかの場合においては、各個別の遠位圧力測定値の心周期が、個別にシフトされて対応の近位圧力測定値の心周期に適合する。他の場合においては、特定の手順のために平均シフトが手順の開始で計算され、また手順の過程の全てのその後の心周期がその量だけシフトされる。この手法は、初期シフトが決定された後の実行のために僅かな処理電力を要求するが、手順の過程に亘り信号の相対的に正確な整列が依然として提供できる。なぜなら、信号遅延の大半は、手順内若しくは患者間で変化しない固定源のためである。また他の場合においては、新しい平均シフトが各時間で計算され、手順過程で近位及び遠位圧力信号がお互いに標準化される。この点に関しては、１回以上、手順の過程で、狭窄の遠位圧力をモニターするために用いられる検出素子が、狭窄の近位圧力をモニターするために用いられる検出素子に隣接して配置され、両方の検出素子が同一の圧力記録を有することになる。圧力記録に差異があるならば、近位及び遠位圧力信号がお互いに標準化される。結果として、引き続いて取得される近位及び遠位圧力測定値が、お互いにより一貫したものになり、従って、結果として生じる圧力比の計算値がより正確になる。
【００７８】
近位及び遠位圧力測定値が整列されると、診断窓５０６のための圧力比が計算される。幾つかの場合においては、圧力比が、診断窓に亘る近位及び遠位圧力測定値の平均値を用いて計算される。本開示の圧力比の計算が、幾つかの場合においては、単一心周期にて実行される。他の場合においては、圧力比計算が、複数の心周期にて実行される。この点に関しては、複数の心周期に亘る圧力比の計算を行い、また値を平均化し、及び／又は１以上の計算された値が最大及び／又は最小で正確であるものと識別する分析技術を用いることにより、圧力比の精度が向上できる。
【００７９】
ここで図３３を参照すると、本開示の実施形態に係る管内の近位及び遠位圧力測定値のグラフ表示５５０が図示される。この点に関しては、グラフ表示５５０が、近位圧力測定値波形５５２及び遠位圧力測定値波形５５４を含む。概して、近位圧力測定値波形５５２が、管の傷害又は関心領域の近位で取得された圧力測定値を示し、遠位圧力測定値波形５５４が、管の傷害又は関心領域の遠位で取得された圧力測定値を示す。近位圧力測定値波形５５２が、ポイント５５６でピーク圧力を有し、また遠位圧力測定値波形５５４が、ポイント５５８でピーク圧力を有する。この点に関しては、ピーク圧力が、収縮期の波無し期間で又は近傍で各心拍サイクルの収縮期に発生する。図示の実施形態においては、ピーク近位圧力５５６及び前記ピーク遠位圧力５５８の間に差５６０がある。幾つかの実施形態においては、差５６０が、ピーク近位圧力５５６からピーク遠位圧力５５８をマイナスして算出される。他の実施形態においては、差が、ピーク遠位圧力５５８からピーク近位圧力５５６をマイナスして算出される。
【００８０】
幾つかの場合においては、ピーク圧力の間の差が、１以上の上述した手法を用いて選択された診断窓での近位圧力に対する遠位圧力の比率の計算の差異に考慮される。この点に関しては、ピーク近位圧力５５６及びピーク遠位圧力５５８の間の差５６０が決定され、また次に圧力比の計算を行うために補償される。例えば、幾つかの実施形態においては、ピーク圧力間の差５６０が、診断窓での遠位圧力測定値に加えられ、診断窓での圧力比が、（Ｐ遠位＋ピーク圧力差）／Ｐ近位として計算される。あるそのような実施形態においては、差が、ピーク近位圧力５５６からピーク遠位圧力５５８をマイナスして算出される。他の実施形態においては、ピーク圧力間の差５６０が、診断窓での遠位圧力測定値から減算され、診断窓での圧力比が、（Ｐ遠位−ピーク圧力差）／Ｐ近位として計算される。あるそのような実施形態においては、差が、ピーク遠位圧力５５８からピーク近位圧力５５６をマイナスすることにより計算される。
【００８１】
他の場合においては、ピーク近位及び遠位圧力の比が計算される。ピーク圧力の比は、次に、スケール因子として用いられ、診断窓で行われる圧力比の計算が調整される。例えば、ある実施形態においては、ピーク圧力比が、ピーク遠位圧力によりピーク近位圧力を除算することにより計算される。次に、上述の１以上の手法を用いて診断窓に亘り計算された標準圧力比が、ピーク圧力の比により標準圧力比計算値を掛けることにより調整可能である。このようにして、ピーク圧力の比が、診断窓での圧力比の計算のためのスケール因子として用いることができる。ピーク圧力差又はピーク圧力比のいずれかが用いられ、管の評価に用いられる診断窓での圧力比を計算する際のため、収縮過程で存在する圧力差が補償される。この補償は、収縮の直後に続く心拡張の波無し期間の過程で診断窓が選択されるような状況において、特に有利である。
【００８２】
ここで図３４及び３５を参照すると、本開示の別の実施形態に係る管の評価のための手法の側面が図示される。この点に関しては、図３４及び３５に関する後述の手法が、傷害、狭窄、又は関心の領域に亘る圧力比を用いて管を評価するために上述した任意の診断窓及び関連手法を用いて実施される。しかしながら、より詳細に述べるように、図３４及び３５に関連の手法が、狭窄の評価のために圧力測定値の精度に依存しない。従って、手順の過程における圧力トランスデューサードリフトに関する懸念が、この手法により大きく減じられ、若しくは除去される。更には、手順の過程における近位圧力測定値装置に対する遠位圧力測定値装置の繰り返しの校正や標準化の必要性が同様に減じられ又は除去される。
【００８３】
はじめに図３４を参照すると、本開示の現在の実施形態にかかる管の評価のための手法の一側面を示すグラフ表示６００が図示される。開示のように、グラフ表示６００が、グラフ６０２及びグラフ６０４を含む。グラフ６０２が、ある時間に亘る患者の近位圧力波形６０６及び遠位圧力波形６０８を図示する。グラフ６０４が、続いて、これらの波形６０６及び６０８に基づいた対応の計算を図示する。この点に関しては、プロット６１０が、幾つかの実施形態においては心拍サイクルの波無し期間のある時間に亘る近位圧力波形６０６に対する遠位圧力波形６０８の圧力比を指標する。プロット６１０が、上述の管評価手法の幾つかで用いられた圧力比計算値を示す。プロット６１２が、遠位圧力波形６０８及び近位圧力波形６０６の間のスロープ比較を示す。この点に関しては、遠位圧力波形６０８のスロープが、近位圧力波形６０６のスロープに比較され、傷害又は狭窄の重大性の指標が提供される。幾つかの場合においては、最良適合回帰スロープが用いられる。この点に関しては、１以上の多項式フィッティング、多重線形回帰、波形のいずれかの終点からのスロープの推定、及び／又は他の適切なフィッティング手法が用いられる。更には、フィッティングが、単一の心拍又は複数の心拍サイクルに亘り実行される。遠位圧力波形６０８のスロープが、近位圧力波形６０６のスロープに等しい時、次に多項式フィット回帰(polyfit regression)スロープ（つまり、多項式曲線フィッティングを介して取得されたスロープ）が１.０に等しくなり、これが、傷害又は狭窄無しを示唆する。他方、遠位圧力波形６０８のスロープが近位圧力波形６０６のスロープから分岐し、次に、多項式フィットスロープが０.０側に変化し、これが重大な障害又は狭窄(例えば、完全閉鎖又は酷い障害)を示唆する。従って、傷害又は狭窄の重大性が、多項式フィットスロープに基づいて評価することができる。より端的には、多項式フィットスロープが１.０に近づくにつれて、傷害／狭窄の重大さが減じられ、多項式フィットスロープが０.０に近づくにつれて、傷害／狭窄の重大さが増加する。上述した圧力比に関する０.８０遮断と同様、所定の閾値が、回帰スロープ比較のために用いられる。例えば、幾つかの場合においては、所定の閾値が、約０．７０と約０．９０の間であり、幾つかの特定の実施形態では、０.７５、０.８０、０．８５、又は他の閾値が用いられる。他の場合においては、所定の閾値が０．７０未満又は０．９０を超える。
【００８４】
上述のように、このスロープ基準の手法が、狭窄の評価のために圧力測定値の精度に依存しない。この点に関しては、図３５が、この点を図示する。そこに図示されるものは、グラフ６２２及びグラフ６２４を含むグラフ表示６２０である。グラフ６２２が、ある時間に亘る患者の近位圧力波形６２６及び遠位圧力波形６２８を図示する。この点に関しては、近位圧力波形６２６が、図３４の近位圧力波形６０６と同じであり、また遠位圧力波形６２８が、図３４の遠位圧力波形６０８と実質的に同じであるが、遠位圧力波形６０８と比較して１０ｍｍＨｇの一定値だけ遠位圧力波形６２８が増加したトランスデューサードリフト効果を図示する。グラフ６２４が、これらの波形６２６及び６２８に基づいた対応の計算を図示する。この点に関しては、プロット６３０が、ある時間に亘る近位圧力波形６２６に対する遠位圧力波形６２８の圧力比の指標である。注目すべきは、プロット６３０の値が、図３４のプロット６１０の値に対してかなり増加している。これは、圧力比計算の関係で、不正確及び／又は非標準化された遠位圧力測定値の潜在的な問題の一つを図示する。他方、プロット６３２が、遠位圧力波形６２８及び近位圧力波形６２６の間のスロープ比較を示す。開示のように、プロット６３２が、図３４のプロット６１２に実質的に適合する。これはプロット６１２及び６３２が、図３４及び３５の間で等しい近位及び遠位波形の形に基づくためである。この点に関しては、遠位圧力波形６２８が、遠位圧力波形６０８と同一の形を有し、１０ｍｍＨｇの値だけ上方に単にシフトされている。結果として、波形のスロープに基づくプロット６１２及び６３２が圧力値とは無関係であり、また従って、ドリフトとは無関係である。この波形形状及び／又は波形スロープに基づく手法が、上述の任意の診断窓の波形を用いて実施することができるものと理解される。
【００８５】
診断窓を識別して圧力差を評価する本開示のこの手法の一つの利点は、「ビートマッチング(beat matching)」の概念である。この点に関しては、同一の心周期のための近位及び遠位波形が一緒に分析され、単一心周期より長くに及ぶ平均化又は個々の計算が行われない。結果として、心周期における妨害(例えば、異所性心拍)が、近位及び遠位記録に等しく影響する。結果として、現在ＦＦＲ手法に有害になるこれらの妨害が、本開示の手法に僅かな影響を及ぼす。更には、本開示の幾つかの実施形態においては、心周期における妨害及び／又は他のデータにおける非規則性の影響が、これら異常を検出するため並びに影響を受けた心周期を自動的に排除するために圧力差計算のモニタリングにより更に最小化及び／又は軽減される。
【００８６】
ある特定の実施形態においては、圧力比が、二つの連続の心周期で計算され、また個々の圧力比の値が平均化される。第３サイクルの圧力比が、次に計算される。圧力比の平均値が、三回サイクルを用いて平均圧力比に比較される。平均の間の差が、所定閾値未満であるならば、計算された値が安定のものと理解され、また更なる計算が実行されない。例えば、もし０．００１の閾値が用いられ、追加心周期の追加により、０.００１未満で平均圧力比の値が変化するならば、計算が完了する。しかしながら、もし平均の間の差が、所定閾値を超えるならば、４回目サイクルの圧力比が計算され、また閾値との比較が行われる。この手順が拍服して繰り返され、心周期Ｎ及び心周期Ｎ＋１の平均の間の差が所定閾値未満になる。典型的には、圧力比値が数点以下２桁の精度で表現されるため(例えば、０．８０)、分析を完了するための閾値が、典型的には十分に小さく選択され、連続の心周期の追加が、圧力差値を変化させない。例えば、幾つかの場合においては、閾値が、約０．０００１と約０．０５の間で選択される。
【００８７】
信頼度の計算が、狭窄の度合い及び／又は初期の計算された圧力比に依拠して、異なる閾値を有する。この点に関しては、狭窄の圧力比分析が、典型的には遮断値(群)に基づいて、もしあれば、どのような種類の療法が処置されるかの決定を取る。従って、幾つかの場合においては、これらの遮断点についてより正確であることが望ましい。換言すれば、計算された圧力差値が遮断近傍であれば、高い信頼度が要求される。例えば、もし治療決定のための遮断が０．８０であり、また初期に計算された圧力比測定値が約０．７５と約０．８５の間であるならば、初期に計算された圧力比測定値が０.４０の場合(これは、０.８０の遮断ポイントよりも離れている)よりも高い信頼度が要求される。従って、幾つかの場合においては、閾値が、少なくとも部分的に初期に計算された圧力比測定値により決定される。幾つかの場合においては、計算された圧力比の信頼度又は安定性が、ソフトウェアインターフェイスを介して視覚的にユーザーに示唆される。例えば、信頼度が高まると、計算された圧力比の色が変化し(例えば、暗い色から明るい色へ次第に薄くなる)、ユーザーインターフェイスが、特定の計算(例えば、スライドスケール又は信頼度のインジケーターが信頼度の増加と共に黒点に近づく標的中心円)のために表示された対応のマーカーの信頼度スケールを含み、圧力比値が、信頼度の増加と共に、ぼやけた又は不鮮明な表示から鮮明、明瞭な表示に推移し、及び／又は他の適切なインジケーターが、信頼度若しくは測定値の知覚された精度を視覚的に表示する。
【００８８】
圧力比が本開示のように単一心周期に基づいて計算可能であるため、遠位圧力測定装置が管内を移動する過程でリアルタイム又はライブの圧力比計算が可能である。従って、幾つかの場合においては、システムが、少なくとも２モードを含む:遠位圧力測定装置が管を移動する過程で圧力比計算を促進する単一−心臓−サイクルモード及び個別の場所でより正確な圧力比計算を提供するマルチ−心臓−サイクルモード。そのようなシステムのある実施形態においては、遠位圧力測定装置が所望の場所まで動き、また測定ボタンが選択され、及び／又は幾つかの他の作動ステップが取られてマルチ−心臓−サイクルモード計算がトリガーされるまで、ソフトウェアユーザーインターフェイスが、ライブ圧力比値を提供するように構成される。
【００８９】
当業者は、上述の機器、システム、及び方法が様々な態様で変更できるものとも理解する。従って、当業者は、本開示により包含される実施形態が、上述の特定の例示の実施形態に限定されないものと予期する。この点に関しては、図示の実施形態が図示及び説明されたが、広範囲の修正、変形、及び置換が上述の開示において想起される。上述のものに対するそのような変更が本開示の範囲から逸脱することなく為されうる。従って、添付請求項が広義及び本開示に一貫する態様で解釈されることが適切である。
【図１】
2014529442.tif 000010
【図２】
2014529442.tif 000011
【図３】
2014529442.tif 000012
【図４】
2014529442.tif 000013
【図５】
2014529442.tif 000014
【図６】
2014529442.tif 000015
【図７】
2014529442.tif 000016
【図８】
2014529442.tif 000017
【図９】
2014529442.tif 000018
【図１０】
2014529442.tif 000019
【図１１】
2014529442.tif 000020
【図１２】
2014529442.tif 000021
【図１３】
2014529442.tif 000022
【図１４】
2014529442.tif 000023
【図１５】
2014529442.tif 000024
【図１６】
2014529442.tif 000025
【図１７】
2014529442.tif 000026
【図１８】
2014529442.tif 000027
【図１９】
2014529442.tif 000028
【図２０】
2014529442.tif 000029
【図２１】
2014529442.tif 000030
【図２２】
2014529442.tif 000031
【図２３】
2014529442.tif 000032
【図２４】
2014529442.tif 000033
【図２５】
2014529442.tif 000034
【図２６】
2014529442.tif 000035
【図２７】
2014529442.tif 000036
【図２８】
2014529442.tif 000037
【図２９】
2014529442.tif 000038
【図３０】
2014529442.tif 000039
【図３１】
2014529442.tif 000040
【図３２】
2014529442.tif 000041
【図３３】
2014529442.tif 000042
【図３４】
2014529442.tif 000043
【図３５】
2014529442.tif 000044
【国際調査報告】
2014529442.tif 000045
2014529442.tif 000046
2014529442.tif 000047